(57)【特許請求の範囲】
【請求項１】
画像表示装置に表示される映像が右目用画像と左目用画像とを含む３次元映像である３Ｄ映像である場合に、３Ｄ映像に含まれる右目用画像と左目用画像とが切り替わるタイミングを示す第１同期信号、及び、上記右目用画像及び左目用画像を交互に透過及び遮断する３Ｄ画像用メガネの光シャッタを制御する光シャッタ制御信号を、上記３Ｄ画像用メガネに送信する無線信号送信部を備えた無線信号送信機であって、
上記無線信号送信部は、上記画像表示装置に表示される画像が３Ｄ映像でない場合、少なくとも上記光シャッタ制御信号を含まない何らかの信号を周期的に送信し、
上記何らかの信号は、上記画像表示装置に表示される映像が３Ｄ映像である場合と、３Ｄ映像でない場合とで値の変化する２値信号からなる同期信号停止信号である
ことを特徴とする無線信号送信機。
【請求項２】
上記画像表示装置に表示される映像が３Ｄ映像であるか、２次元映像である２Ｄ映像であるかを示す映像種別信号を受信する受信部をさらに備え、
上記無線信号送信部は、上記受信部において上記画像表示装置に表示される映像が３Ｄ映像であることを示す映像種別信号が受信されない場合に、少なくとも上記光シャッタ制御信号を含まない何らかの信号を周期的に送信する
ことを特徴とする請求項１に記載の無線信号送信機。
【請求項３】
上記画像表示装置に表示される映像が２次元映像である２Ｄ映像である場合に、２Ｄ映像に含まれるフレーム画像が切り替わるタイミングを示す第２同期信号を受信する受信部を備え、
上記無線信号送信部は、上記受信部において上記第２同期信号が受信された場合、上記何らかの信号と共に、上記第２同期信号を送信する
ことを特徴とする請求項１に記載の無線信号送信機。
【請求項４】
上記第１同期信号、及び、上記画像表示装置に表示される映像が２次元映像である２Ｄ映像である場合に、２Ｄ映像に含まれるフレーム画像が切り替わるタイミングを示す第２同期信号を受信する受信部と、
上記第１同期信号の周期を検出し、第１周期データを生成する第１周期検出手段と、
上記第２同期信号の周期を検出し、第２周期データを生成する第２周期検出手段と、を備え、
上記無線信号送信部は、
上記受信部において上記第１同期信号が受信された場合、上記第１同期信号と共に、上記第１周期データを送信し、
上記受信部において上記第２同期信号が受信された場合、上記何らかの信号と共に、上記第２同期信号及び上記第２周期データを送信する
ことを特徴とする請求項１に記載の無線信号送信機。
【請求項５】
上記第１同期信号の周期を検出し、第１周期データを生成する第１周期検出手段と、
上記第１周期データから周期信号を生成する周期信号生成手段と、
上記周期信号を基準として、代替同期信号を生成する代替同期信号生成手段と、を備えており、
上記無線信号送信部は、上記画像表示装置に表示される画像が３Ｄ映像でない場合、上記何らかの信号と共に、上記代替同期信号を送信する
ことを特徴とする請求項１に記載の無線信号送信機。
【請求項６】
上記第１同期信号の周期を検出し、第１周期データを生成する第１周期検出手段と、
上記第１周期データから周期信号を生成する周期信号生成手段と、
上記第１周期検出手段において生成された上記第１周期データを格納する第１周期データ記憶部と、をさらに備えており、
上記第１周期データ記憶部には、上記第１周期データとは別に、予め定められた所定の周期を示すデータが格納されており、
上記周期信号生成手段は、上記第１周期データ記憶部に格納された上記第１周期データを読み出して周期信号を生成し、上記第１周期データ記憶部に上記第１周期データが格納されていない場合には、上記所定の周期を示すデータを読み出して周期信号を生成する
ことを特徴とする、請求項１から５の何れか１項に記載の無線信号送信機。
【請求項７】
上記受信部は、上記３Ｄ画像用メガネが備える光シャッタの制御を指示する光シャッタ制御データを受信し、
繰り返される上記光シャッタ制御データを解析してパターン化した光シャッタ制御パターン情報を生成する光シャッタ制御パターン解析手段をさらに備えている
ことを特徴とする請求項２から４の何れか１項に記載の無線信号送信機。
【請求項８】
上記３Ｄ画像用メガネが備える光シャッタの制御を指示する光シャッタ制御データを受信する受信部と、
繰り返される上記光シャッタ制御データを解析してパターン化した光シャッタ制御パターン情報を生成する光シャッタ制御パターン解析手段と、をさらに備えている、
ことを特徴とする請求項５又は６に記載の無線信号送信機。
【請求項９】
上記無線信号送信部は、上記第１同期信号を送信すると共に、上記光シャッタ制御パターン情報を上記光シャッタ制御信号として送信する
ことを特徴とする請求項７又は８に記載の無線信号送信機。
【請求項１０】
画像表示装置に表示される映像が右目用画像と左目用画像とを含む３次元映像である３Ｄ映像である場合に、３Ｄ映像に含まれる右目用画像と左目用画像とが切り替わるタイミングを示す第１同期信号、及び、上記右目用画像及び左目用画像を交互に透過及び遮断する光シャッタを制御する光シャッタ制御信号を受信する無線信号受信部を備えた３Ｄ画像用メガネであって、
上記無線信号受信部は、上記画像表示装置に表示される映像が３Ｄ映像でない場合、少なくとも上記光シャッタ制御信号を含まない何らかの信号を受信し、
上記第１同期信号又は上記何らかの信号を受信すると、上記無線信号受信部における無線信号の受信動作を所定の時間だけ停止するように制御する受信間欠制御手段を備えており、
上記何らかの信号は、上記画像表示装置に表示される映像が３Ｄ映像である場合と、３Ｄ映像でない場合とで値の変化する２値信号からなる同期信号停止信号である
ことを特徴とする３Ｄ画像用メガネ。
【請求項１１】
上記無線信号受信部は、上記第１同期信号の周期を示す第１周期データ、及び、右目用画像及び左目用画像を透過及び遮断する光シャッタの制御を指示するデータをパターン化した光シャッタ制御パターン情報を上記光シャッタ制御信号として受信し、
上記第１同期信号を基準とし、上記第１周期データに従って周期信号を生成する周期信号生成手段と、
上記光シャッタ制御パターン情報から、上記周期信号を基準として、光シャッタ制御データを生成する光シャッタ制御データ生成手段と、
上記周期信号を基準として、上記光シャッタの開閉を制御する光シャッタ制御タイミングを生成する光シャッタ制御タイミング生成手段と、
上記光シャッタ制御データ、及び、上記光シャッタ制御タイミングに基づいて上記光シャッタの開閉を制御する光シャッタ制御信号を生成する光シャッタ制御手段と、をさらに備えている
ことを特徴とする請求項１０に記載の３Ｄ画像用メガネ。
【請求項１２】
上記受信間欠制御手段において上記無線信号受信部における無線信号の受信動作を停止させる所定の時間を示す停止時間データを格納しているレジスタと、
上記レジスタに格納されている上記停止時間データを読み出し、上記所定の時間だけタイマーを動作させるタイマー制御手段と、をさらに備え、
上記受信間欠制御手段は、上記タイマーが動作している時間だけ、上記無線信号受信部における無線信号の受信動作を停止させる
ことを特徴とする請求項１０又は１１に記載の３Ｄ画像用メガネ。
【請求項１３】
上記何らかの信号は、上記画像表示装置に表示される映像が３Ｄ映像である場合と、３Ｄ映像でない場合とで値の変化する２値信号からなる同期信号停止信号であり、
上記周期信号生成手段は、上記無線信号受信部において上記同期信号停止信号が受信されると、上記周期信号の生成を停止する
ことを特徴とする請求項１１に記載の３Ｄ画像用メガネ。
【請求項１４】
画像表示装置と、
請求項１から９の何れか１項に記載の無線信号送信機と、
請求項１０から１３の何れか１項に記載の３Ｄ画像用メガネと、を備えている
ことを特徴とする画像表示システム。
【請求項１５】
コンピュータを請求項１から９の何れか１項に記載の無線信号送信機として動作させるためのプログラムであって、上記コンピュータを上記無線信号送信機の各手段として機能させるプログラム。
【請求項１６】
コンピュータを請求項１０から１３の何れか１項に記載の３Ｄ画像用メガネとして動作させるためのプログラムであって、上記コンピュータを上記３Ｄ画像用メガネの各手段として機能させるプログラム。
【請求項１７】
請求項１５又は１６に記載のプログラムを記録したコンピュータ読み取り可能な記録媒体。
【発明の詳細な説明】
【技術分野】
【０００１】
本発明は、画像表示装置に表示される右目用画像と左目用画像との切り替え情報を画像表示装置より受信し、受信した情報を３Ｄ画像用メガネに送信する情報に変換する無線信号送信機に関する。また、本発明は、無線信号送信機から送信された信号を受信し、画像表示装置に表示される映像を立体視可能にする３Ｄ画像用メガネ、及び、画像表示システムに関する。
【背景技術】
【０００２】
従来、３Ｄ（３次元）映像に含まれる右目用画像と左目用画像とを交互に透過させる光シャッタを備える３Ｄ画像用メガネを用いて、画像表示装置に表示される３Ｄ映像、すなわち、右目用画像と左目用画像とを含む立体視可能な映像を立体視することができるようになっている。具体的に、３Ｄ画像用メガネは、右目用画像が表示されている場合は右光シャッタを開いて左光シャッタを閉じ、左目用画像が表示されている場合には右光シャッタを閉じて左光シャッタを開くことにより右目用画像と左目用画像とを交互に透過させている。
【０００３】
また、右目用画像が表示されている場合に右光シャッタを開いて左光シャッタを閉じるというような、画像表示装置と３Ｄ画像用メガネとの動作の同期を図るため、無線信号送信機を用いることがしばしばである。なお、画像表示装置としては、例えば、テレビジョン受像機（ＴＶ：Television）やパーソナルコンピュータ（ＰＣ：Personal Computer）などを挙げることができる。
【０００４】
ここで、従来技術における無線信号送信機、及び、３Ｄ画像用メガネについて、図９及び図１０を参照して説明する。図９は、従来技術における無線信号送信機、及び、３Ｄ画像用メガネの構成を示すブロック図である。図１０は、図９に示す従来の無線信号送信機における制御動作のタイミングを示すタイミングチャートである。
【０００５】
図９に示すように、無線信号送信機１０１は、画像表示装置１０６から、右目用画像と左目用画像との表示を切り替えるタイミングを示す同期信号、右目用画像及び左目用画像の何れであるかを示す信号、及び、３Ｄ画像用メガネ１１０が備える左右の光シャッタの制御タイミングを示す光シャッタ制御データなどを受信する。無線信号送信機１０１は、同期信号及び光シャッタ制御データから図１０（ａ）に示す無線送信信号を生成し、赤外線（ＩＲ）方式又は電波無線（ＲＦ）方式などの無線通信を用いて、３Ｄ画像用メガネ１１０に送信する。また、図１０（ｂ）は、画像表示装置１０６において、右目用画像及び左目用画像が表示されるタイミングを示している。
【０００６】
３Ｄ画像用メガネ１１０は、無線信号受信部１１１において無線送信信号を受信すると、光シャッタ制御タイミング生成部１１２において光シャッタを制御する光シャッタ制御タイミングを生成する。また、光シャッタ制御部１１３は、生成された光シャッタ制御タイミングに基づき、右光シャッタ及び左光シャッタをそれぞれ制御するため、図１０（ｃ）及び（ｄ）に示す右光シャッタ制御信号及び左光シャッタ制御信号を生成する。光シャッタ制御部１１３は、生成した右光シャッタ制御信号及び左光シャッタ制御信号に基づいて、右光シャッタ及び左光シャッタをそれぞれ制御する。
【０００７】
つまり、光シャッタ制御部１１３は、画像表示装置１０６に右目用画像が表示されるときに右光シャッタを開いて左光シャッタを閉じ、左目用画像が表示されるときに右光シャッタを閉じて左光シャッタを開く。これにより、ユーザは、右目用画像を右目のみで見ることができ、左目用画像を左目のみで見ることができるため、これを交互に繰り返すことによって、３Ｄ映像を立体視することができる。
【０００８】
なお、上述した従来技術において、無線信号送信機１０１は、画像表示装置１０６に表示される３Ｄ映像に含まれる右目用画像と左目用画像とが切り替わるタイミング、すなわち、フレームが切り替わるタイミングで無線信号を送信する。例えば、フレーム周波数が１００Ｈｚである場合、無線信号送信機１０１は１０ｍｓ毎に無線信号を送信し、３Ｄ画像用メガネ１１０は１０ｍｓ毎に無線信号を受信することになる。この結果、フレーム周波数が高くなるほど３Ｄ画像用メガネ１１０が備える無線信号受信部１１１における電力の消費量が大きくなるという傾向がある。
【０００９】
また、無線信号送信機１０１は、常に画像表示装置から電源の供給を受けることができる場合が多いのに対し、３Ｄ画像用メガネ１１０は、電源として電池を使用していることが多い。つまり、フレーム周波数が高くなるほど、３Ｄ画像用メガネ１１０を使用できる時間が短くなってしまうという問題があった。
【００１０】
そこで、この問題を回避するための３Ｄ画像用メガネの無線受信装置として、下掲の特許文献１に記載の技術が提案されている。
【００１１】
特許文献１は、受信部の電源供給回路をオン・オフ切り替えするスイッチとスイッチ制御手段とを備えた３Ｄ画像用メガネに関する技術が開示されている。具体的には、３Ｄ画像用メガネは、送信装置から送られてくる無線送信信号の周期を検出し、その周期から無線送信信号の休止期間を算出して、その休止期間にスイッチをオフするようにしている。
【００１２】
３Ｄ画像用メガネは、上記の構成により、例えば、前述の１０ｍｓの中でも無線送信信号の休止期間はスイッチをオフにするようにして電力消費を低減するようにしている。具体的には、前述の１０ｍｓの中で無線信号を受信する期間が１ｍｓである場合には、残りの９ｍｓを休止期間とすることによって、受信部における消費電力を略１０分の１にすることができる。
【先行技術文献】
【特許文献】
【００１３】
【特許文献１】特開平０８−２６５８６３号公報（１９９６年１０月１１日公開）
【発明の概要】
【発明が解決しようとする課題】
【００１４】
しかしながら、特許文献１に記載の３Ｄ画像用メガネは、送信装置から受信した無線送信信号の周期と、３Ｄ画像用メガネにおいて生成したパルスとを比較し、比較の結果に応じて電源供給回路のオン・オフを切り替えている。このため、３Ｄ画像用メガネは、画像表示装置において３Ｄ映像が表示されていないために送信装置から無線送信信号が送信されない場合には、無線送信信号と３Ｄ画像用メガネにおいて生成したパルスとを比較できないため、電源供給回路のオン・オフを切り替えることができず、無線信号の受信を休止することができなくなってしまう。
【００１５】
このような場合には、常時、無線信号の受信を行うことができるように電源供給回路をオンにし続けなければならないため、受信部の消費電力を低減することができなくなってしまうという問題があった。
【００１６】
本発明は、上記の問題点に鑑みてなされたものであり、その目的は、画像表示装置に３Ｄ映像が表示されていない場合にも３Ｄ画像用メガネにおける消費電力を低減させることのできる無線信号送受信技術を提供することにある。
【課題を解決するための手段】
【００１７】
本発明に係る無線信号送信機は、上記の課題を解決するために、画像表示装置に表示される映像が右目用画像と左目用画像とを含む３次元映像である３Ｄ映像である場合に、３Ｄ映像に含まれる右目用画像と左目用画像とが切り替わるタイミングを示す第１同期信号、及び、上記右目用画像及び左目用画像を交互に透過及び遮断する３Ｄ画像用メガネの光シャッタを制御する光シャッタ制御信号を、上記３Ｄ画像用メガネに送信する無線信号送信部を備えた無線信号送信機であって、上記無線信号送信部は、上記画像表示装置に表示される画像が３Ｄ映像でない場合、少なくとも上記光シャッタ制御信号を含まない何らかの信号を周期的に送信し、上記何らかの信号は、上記画像表示装置に表示される映像が３Ｄ映像である場合と、３Ｄ映像でない場合とで値の変化する２値信号からなる同期信号停止信号であることを特徴としている。
【００１８】
上記の構成によれば、上記無線信号送信機における上記無線信号送信部は、上記画像表示装置に表示される映像が３Ｄ映像である場合に、上記第１同期信号及び上記光シャッタ制御信号を送信し、３Ｄ映像でない場合（すなわち、２次元映像である２Ｄ映像が表示されている場合、及び、上記画像表示装置に何も表示されていない場合）には、少なくとも上記光シャッタ制御信号を含まない何らかの信号を周期的に送信する。これにより、上記無線信号送信機は、上記画像表示装置に表示される映像が３Ｄ映像でない場合にも、上記３Ｄ画像用メガネに上記何らかの信号を周期的に送信することができる。
【００１９】
なお、上記画像表示装置に何も表示されていない場合としては、例えば、画像表示装置に供給される２Ｄ映像又は３Ｄ映像の供給（例えば、画像表示装置がテレビジョン受像機である場合、テレビ放送）が終了している場合、及び、上記画像表示装置に電源が供給されていない場合などを挙げることができる。
【００２０】
上記無線信号送信機の構成により、上記３Ｄ画像用メガネは、上記何らかの信号を受信することにより、上記画像表示装置に表示されている映像が３Ｄ映像でない場合にも、周期的に信号を受信する。これによって、３Ｄ画像用メガネは、周期的に信号を受信することにより消費電力を削減する機能を、上記画像表示装置に表示されている映像が３Ｄ映像でない場合にも、機能させることができる。従って、上記無線信号送信機は、上記画像表示装置に３Ｄ映像が表示されていない場合にも、３Ｄ画像用メガネにおける消費電力を低減させることができる。
【００２１】
また、上記３Ｄ画像用メガネは、周期的に無線信号の受信（間欠受信）を行うため、上記無線信号送信機から送信される無線信号の送信期間、及び、何れの無線通信チャンネルを使用しているかを把握し続けることができる。このため、上記画像表示装置で表示される映像が２Ｄ映像から３Ｄ映像に切り替わった場合にも、素早く無線信号の受信を行い、動作を開始することができる。
【００２２】
なお、２Ｄ映像及び３Ｄ映像は、動画であってもよいし、静止画であってもよいし、動画及び静止画が組み合わされた映像であってもよい。
【００２４】
上記の構成によれば、上記無線信号送信部は、上記第１同期信号が受信される場合、すなわち、上記画像表示装置に表示される映像が３Ｄ映像である場合と、上記第１同期信号が受信されない場合、すなわち、上記画像表示装置に表示される映像が２Ｄ映像である場合とで、値の変化する２値信号からなる同期信号停止信号を送信する。したがって、上記無線信号送信部は、上記画像表示装置に表示される映像の切り替わる際に、信号の値を変化させるという、最もシンプルな信号生成によって、上記同期信号停止信号を生成することができる。
【００２５】
例えば、上記無線信号送信部は、上記画像表示装置に表示される映像が２Ｄ映像である場合に、ハイレベルの値を有する同期信号停止信号を生成し、３Ｄ映像である場合に、ローレベルの値を有する同期信号停止信号を生成すればよい。
【００２６】
本発明に係る無線信号送信機は、上記画像表示装置に表示される映像が３Ｄ映像であるか、２次元映像である２Ｄ映像であるかを示す映像種別信号を受信する受信部をさらに備え、上記無線信号送信部は、上記受信部において上記画像表示装置に表示される映像が３Ｄ映像であることを示す映像種別信号が受信されない場合に、少なくとも上記光シャッタ制御信号を含まない何らかの信号を周期的に送信することが好ましい。
【００２７】
上記の構成によれば、上記無線信号送信機における上記受信部は、上記画像表示装置に表示される映像が２Ｄ映像であるか、３Ｄ映像であるかを示す上記映像種別信号を受信する。上記映像種別信号を受信することにより、上記無線信号送信機は、上記画像表示装置に表示される映像が３Ｄ映像であるか、２Ｄ映像であるかを、より正確に認識することができる。
【００２８】
また、上記無線信号送信部は、上記受信部において上記画像表示装置に表示される映像が３Ｄ映像であることを示す映像種別信号が受信されない場合、すなわち、上記画像表示装置に３Ｄ映像が表示されていない場合に、上記何らかの信号を上記３Ｄ画像メガネに送信することができる。なお、３Ｄ映像であることを示す映像種別信号が受信されない場合とは、例えば、上記映像種別信号が上記画像表示装置に表示される映像が２Ｄ映像であることを示す場合である。
【００２９】
本発明に係る無線信号送信機は、上記画像表示装置に表示される映像が２次元映像である２Ｄ映像である場合に、２Ｄ映像に含まれるフレーム画像が切り替わるタイミングを示す第２同期信号を受信する受信部を備え、上記無線信号送信部は、上記受信部において上記第２同期信号が受信された場合、上記何らかの信号と共に、上記第２同期信号を送信することが好ましい。
【００３０】
上記の構成によれば、上記無線信号送信部は、上記画像表示装置に表示される映像が３Ｄ映像である場合には、上記第１同期信号を送信し、上記画像表示装置に表示される映像が２Ｄ映像である場合には、上記何らかの信号、及び、上記第２同期信号を送信する。
【００３１】
本発明に係る無線信号送信機は、さらに、上記第１同期信号、及び、上記画像表示装置に表示される映像が２次元映像である２Ｄ映像である場合に、２Ｄ映像に含まれるフレーム画像が切り替わるタイミングを示す第２同期信号を受信する受信部と、上記第１同期信号の周期を検出し、第１周期データを生成する第１周期検出手段と、上記第２同期信号の周期を検出し、第２周期データを生成する第２周期検出手段と、を備え、上記無線信号送信部は、上記受信部において上記第１同期信号が受信された場合、上記第１同期信号と共に、上記第１周期データを送信し、上記受信部において上記第２同期信号が受信された場合、上記何らかの信号と共に、上記第２同期信号及び上記第２周期データを送信することが好ましい。
【００３２】
上記の構成によれば、上記無線信号送信部は、上記画像表示装置に表示される映像が３Ｄ映像である場合には、上記第１同期信号、及び、上記第１周期データを送信する。また、上記無線信号送信部は、上記画像表示装置に表示される映像が２Ｄ映像である場合には、上記何らかの、上記第２同期信号、及び、上記第２周期データを送信する。
【００３３】
これによって、３Ｄ画像用メガネは、周期的に信号を受信することにより消費電力を削減する機能を実行するために必要な信号を、上記第２同期信号と上記第２周期データとに基づいて、容易に生成することができる。従って、上記無線信号送信機は、上記３Ｄ画像用メガネにおける信号の生成に関する処理を削減することができ、さらに消費電力を低減させることができる。
【００３４】
本発明に係る無線信号送信機は、上記第１同期信号の周期を検出し、第１周期データを生成する第１周期検出手段と、上記第１周期データから周期信号を生成する周期信号生成手段と、上記周期信号を基準として、代替同期信号を生成する代替同期信号生成手段と、を備えており、上記無線信号送信部は、上記画像表示装置に表示される画像が３Ｄ映像でない場合、上記何らかの信号と共に、上記代替同期信号を送信することが好ましい。
【００３５】
上記の構成によれば、上記無線信号送信部は、上記画像表示装置に表示される映像が３Ｄ映像である場合には、上記第１同期信号を送信し、上記画像表示装置に表示される映像が３Ｄ映像でない場合には、上記何らかの信号、及び、上記代替同期信号を送信する。代替同期信号を送信することによって、上記無線信号送信機は、上記画像表示装置に表示される映像が３Ｄ映像でない場合にも、同期信号を送信することができる。
【００３６】
これによって、３Ｄ映像が表示される場合にのみ同期信号が送られるような赤外線方式の画像表示装置から送信される赤外線信号（ＩＲ信号）を無線信号（ＲＦ信号）に変換して送信することができる。すなわち、上記無線信号送信機を有線又は無線で接続することにより、上記画像表示装置に手を加えること無く、３Ｄ映像の同期信号が受信されない場合（すなわち、２Ｄ映像が表示されている場合、又は、画像表示装置に何も表示されていない場合）にも、同期信号を送信することができる。
【００３７】
また、上記画像表示装置に表示される映像が３Ｄ映像から３Ｄ映像でない状態（例えば、２Ｄ映像）に切り替わった時点での代替同期信号を、３Ｄ画像表示時の同期信号と同じ周期及びタイミングの信号とすることにより、上記３Ｄ画像用メガネにおける間欠受信のタイミングと、上記無線信号送信機から無線信号が送られるタイミングとを一致させることができる。これによって、上記３Ｄ画像用メガネにおける間欠受信をそのままのタイミングで継続することができる。
【００３８】
本発明に係る無線信号送信機は、上記第１同期信号の周期を検出し、第１周期データを生成する第１周期検出手段と、上記第１周期データから周期信号を生成する周期信号生成手段と、上記第１周期検出手段において生成された上記第１周期データを格納する第１周期データ記憶部と、をさらに備えており、上記第１周期データ記憶部には、上記第１周期データとは別に、予め定められた所定の周期を示すデータが格納されており、上記周期信号生成手段は、上記第１周期データ記憶部に格納された上記第１周期データを読み出して周期信号を生成し、上記第１周期データ記憶部に上記第１周期データが格納されていない場合には、上記所定の周期を示すデータを読み出して周期信号を生成することが好ましい。
【００３９】
上記の構成によれば、上記周期信号生成手段は、上記第１周期データ記憶部に上記第１周期データが格納されている場合に、上記第１周期データから上記周期信号を生成し、上記第１周期データ記憶部に上記第１周期データが格納されていない場合に、上記所定の周期を示すデータから上記周期信号を生成する。これによって、上記第１周期データが格納されていない、すなわち、第１同期信号が受信されない場合であっても、上記周期信号生成手段において周期信号を生成することができる。
【００４０】
本発明に係る無線信号送信機において、上記受信部は、上記３Ｄ画像用メガネが備える光シャッタの制御を指示する光シャッタ制御データを受信し、繰り返される上記光シャッタ制御データを解析してパターン化した光シャッタ制御パターン情報を生成する光シャッタ制御パターン解析手段をさらに備えていることが好ましい。
【００４１】
本発明に係る無線信号送信機は、上記３Ｄ画像用メガネが備える光シャッタの制御を指示する光シャッタ制御データを受信する上記受信部と、繰り返される上記光シャッタ制御データを解析してパターン化した光シャッタ制御パターン情報を生成する光シャッタ制御パターン解析手段と、をさらに備えている、ことが好ましい。
【００４２】
上記の構成によれば、上記光シャッタ制御パターン解析手段は、上記画像表示装置から上記光シャッタ制御データを受信すると同時に、光シャッタ制御データの繰り返しパターンを解析する。これにより、上記無線信号送信機は、上記光シャッタ制御パターン解析手段において、常に最新の上記光シャッタ制御パターン情報を生成することができる。
【００４３】
本発明に係る無線信号送信機において、上記無線信号送信部は、上記第１同期信号を送信すると共に、上記光シャッタ制御パターン情報を上記光シャッタ制御信号として送信することが好ましい。
【００４４】
上記の構成によれば、上記無線信号送信部は、上記第１同期信号、上記第１周期データ、及び、上記光シャッタ制御パターン情報を上記３Ｄ画像用メガネに送信する。このため、上記３Ｄ画像用メガネは、上記光シャッタ制御パターン情報を受信することができるため、自装置において光シャッタ制御パターンを解析する必要がない。したがって、上記３Ｄ画像用メガネにおいて、上記光シャッタ制御パターンの解析に関する機能を削減でき、コストを削減することができる。また、上記３Ｄ画像用メガネにおける、上記光シャッタ制御パターンの解析に関する消費電力を削減することができる。
【００４５】
本発明に係る３Ｄ画像用メガネは、上記の課題を解決するため、画像表示装置に表示される映像が右目用画像と左目用画像とを含む３次元映像である３Ｄ映像である場合に、３Ｄ映像に含まれる右目用画像と左目用画像とが切り替わるタイミングを示す第１同期信号、及び、上記右目用画像及び左目用画像を交互に透過及び遮断する光シャッタを制御する光シャッタ制御信号を受信する無線信号受信部を備えた３Ｄ画像用メガネであって、上記無線信号受信部は、上記画像表示装置に表示される映像が３Ｄ映像でない場合、少なくとも上記光シャッタ制御信号を含まない何らかの信号を受信し、上記第１同期信号又は上記何らかの信号を受信すると、上記無線信号受信部における無線信号の受信動作を所定の時間だけ停止するように制御する受信間欠制御手段を備えており、上記何らかの信号は、上記画像表示装置に表示される映像が３Ｄ映像である場合と、３Ｄ映像でない場合とで値の変化する２値信号からなる同期信号停止信号であることを特徴としている。
【００４６】
上記の構成によれば、上記無線信号受信部は、上記画像表示装置に表示される映像が３Ｄ映像である場合には上記第１同期信号及び上記光シャッタ制御信号を受信し、３Ｄ映像でない場合（すなわち、２Ｄ映像が表示されている場合、及び、上記画像表示装置に何も表示されていない場合）には上記何らかの信号を受信する。また、上記受信間欠制御手段は、上記第１同期信号又は上記何らかの信号の何れかの信号が受信された場合であっても、上記無線信号受信部における無線信号の受信動作を所定の時間だけ停止する。
【００４７】
なお、上記画像表示装置に何も表示されていない場合としては、例えば、画像表示装置に供給される２Ｄ映像又は３Ｄ映像の供給（例えば、画像表示装置がテレビジョン受像機である場合、テレビ放送）が終了している場合、及び、上記画像表示装置に電源が供給されていない場合などを挙げることができる。
【００４８】
これにより、上記受信間欠制御手段は、上記第１同期信号及び上記光シャッタ制御信号を受信した場合には上記無線信号受信部の動作を所定の時間だけ停止することができるが、上記画像表示装置に表示される映像が３Ｄ映像でない場合には何も信号が受信されず、上記無線信号受信部の動作を所定の時間だけ停止することができなくなる、ということを防ぐことができる。すなわち、上記受信間欠制御手段は、上記画像表示装置に表示される映像が３Ｄ映像でない場合にも上記何らかの信号を周期的に受信することにより、上記無線信号受信部の動作を所定の時間だけ停止することができる。
【００４９】
したがって、上記受信間欠制御手段は、上記画像表示装置に表示される映像が３Ｄ映像でない場合にも、上記無線信号受信部の動作を所定の時間だけ間欠的に停止させることで、上記無線信号受信部における消費電力を削減することができる。
【００５１】
上記の構成によれば、上記３Ｄ画像用メガネは、上記第１同期信号が受信される場合、すなわち、上記画像表示装置に表示される映像が３Ｄ映像である場合と、上記第１同期信号が受信されない場合、すなわち、上記画像表示装置に表示される映像が２Ｄ映像である場合とで、値の変化する２値信号からなる同期信号停止信号を受信する。したがって、上記３Ｄ画像用メガネは、上記画像表示装置に表示される映像の切り替わる際に信号の値が変化する、最もシンプルな信号を受信し、受信した信号に基づいて動作することができる。
【００５２】
また、上記３Ｄ画像用メガネは、周期的に無線信号の受信を行うため、上記無線信号送信機から送信される無線信号の送信期間、及び、何れの無線通信チャンネルを使用しているかを把握し続けることができる。このため、上記画像表示装置で表示される映像が２Ｄ映像から３Ｄ映像に切り替わった場合にも、素早く無線信号の受信を行い、動作を開始することができる。
【００５３】
本発明に係る３Ｄ画像用メガネにおいて、上記無線信号受信部は、上記第１同期信号の周期を示す第１周期データ、及び、右目用画像及び左目用画像を透過及び遮断する光シャッタの制御を指示するデータをパターン化した光シャッタ制御パターン情報を、上記光シャッタ制御信号として受信し、上記第１同期信号を基準とし、上記第１周期データに従って周期信号を生成する周期信号生成手段と、上記光シャッタ制御パターン情報から、上記周期信号を基準として、光シャッタ制御データを生成する光シャッタ制御データ生成手段と、上記周期信号を基準として、上記光シャッタの開閉を制御する光シャッタ制御タイミングを生成する光シャッタ制御タイミング生成手段と、上記光シャッタ制御データ、及び、上記光シャッタ制御タイミングに基づいて上記光シャッタの開閉を制御する光シャッタ制御信号を生成する光シャッタ制御手段と、をさらに備えていることが好ましい。
【００５４】
上記の構成によれば、上記光シャッタ制御データ生成手段、及び、上記光シャッタ制御タイミング生成手段は、上記周期信号を基準として、上記光シャッタ制御データ、及び、上記光シャッタ制御タイミングを生成する。また、上記光シャッタ制御部は、上記光シャッタ制御データ、及び、上記光シャッタ制御タイミングに基づき、上記光シャッタ制御信号を生成する。
【００５５】
これにより、上記３Ｄ画像用メガネは、上記無線信号送信機から送信される情報に従って上記光シャッタ制御信号を生成することができるので、一定時間無線信号送信機からの信号を受信しなくても光シャッタを制御することができるようになる。
【００５６】
本発明に係る３Ｄ画像用メガネは、上記受信間欠制御手段において上記無線信号受信部における無線信号の受信動作を停止させる所定の時間を示す停止時間データを格納しているレジスタと、上記レジスタに格納されている上記停止時間データを読み出し、上記所定の時間だけタイマーを動作させるタイマー制御手段と、をさらに備え、上記受信間欠制御手段は、上記タイマーが動作している時間だけ、上記無線信号受信部における無線信号の受信動作を停止させることが好ましい。
【００５７】
上記の構成によれば、上記受信間欠制御手段は、無線信号受信部における無線受信を所定の時間だけ停止する制御を行う。これによって、３Ｄ画像用メガネは、無線信号受信部における、無線信号の受信の際に消費される電力を削減することができる。
【００５８】
本発明に係る３Ｄ画像用メガネにおいて、上記何らかの信号は、上記画像表示装置に表示される映像が３Ｄ映像である場合と、３Ｄ映像でない場合とで値の変化する２値信号からなる同期信号停止信号であり、上記周期信号生成手段は、上記無線信号受信部において上記同期信号停止信号が受信されると、上記周期信号の生成を停止することが好ましい。
【００５９】
上記の構成によれば、上記３Ｄ画像用メガネは、上記同期信号停止信号が受信されたとき、上記周期信号生成手段における上記周期信号の生成を停止する。これにより、上記３Ｄ画像用メガネは、上記同期信号停止信号が受信されている間は左右の光シャッタを両方開くことができる。また、ユーザは、両目で２Ｄ映像を見ることができる。
【００６０】
また、上記３Ｄ画像用メガネは、上記同期信号停止信号が受信されたとき、上記周期信号生成手段における周期信号の生成を停止するので、上記３Ｄ画像用メガネは、上記同期信号停止信号が受信されている間、上記周期信号生成手段における上記周期信号の生成に関する消費電力を削減することができる。
【００６１】
本発明に係る画像表示システムは、画像表示装置、上述した無線信号送信機、及び、上述した３Ｄ画像用メガネを備えていることを特徴としている。
【００６２】
また、本発明に係る無線信号送信機、又は、３Ｄ画像用メガネを動作させるためのプログラムであって、コンピュータを上記の各手段として機能させることを特徴とするプログラム、及び、これらのプログラムのうち少なくとも何れかを記録したコンピュータ読み取り可能な記録媒体も本発明の範疇に含まれる。
【発明の効果】
【００６３】
本発明に係る無線信号送信機は、以上のように、画像表示装置に表示される映像が右目用画像と左目用画像とを含む３次元映像である３Ｄ映像である場合に、３Ｄ映像に含まれる右目用画像と左目用画像とが切り替わるタイミングを示す第１同期信号、及び、上記右目用画像及び左目用画像を交互に透過及び遮断する３Ｄ画像用メガネの光シャッタを制御する光シャッタ制御信号を、上記３Ｄ画像用メガネに送信する無線信号送信部を備えた無線信号送信機であって、上記無線信号送信部は、上記画像表示装置に表示される画像が３Ｄ映像でない場合、少なくとも上記光シャッタ制御信号を含まない何らかの信号を周期的に送信し、上記何らかの信号は、上記画像表示装置に表示される映像が３Ｄ映像である場合と、３Ｄ映像でない場合とで値の変化する２値信号からなる同期信号停止信号であることを特徴としている。
【００６４】
上記の構成から、上記無線信号送信機は、上記画像表示装置に表示される映像が３Ｄ映像でない場合にも、上記３Ｄ画像用メガネに上記同期信号停止信号を周期的に送信することができる。これによって、３Ｄ画像用メガネは、周期的に信号を受信することにより消費電力を削減する機能を、上記画像表示装置に表示されている映像が３Ｄ映像でない場合にも、機能させることができる。従って、上記無線信号送信機は、上記画像表示装置に３Ｄ映像が表示されていない場合にも、３Ｄ画像用メガネにおける消費電力を低減させることができる。また、上記の構成によれば、上記無線信号送信部は、上記第１同期信号が受信される場合、すなわち、上記画像表示装置に表示される映像が３Ｄ映像である場合と、上記第１同期信号が受信されない場合、すなわち、上記画像表示装置に表示される映像が２Ｄ映像である場合とで、値の変化する２値信号からなる同期信号停止信号を送信する。したがって、上記無線信号送信部は、上記画像表示装置に表示される映像の切り替わる際に、信号の値を変化させるという、最もシンプルな信号生成によって、上記同期信号停止信号を生成することができる。
【図面の簡単な説明】
【００６５】
【図１】本発明の一実施形態に係る画像表示システムの構成を示すブロック図である。
【図２】本発明の一実施形態における無線信号送信機の動作タイミングを示すタイミングチャートである。
【図３】本発明の一実施形態における３Ｄ画像用メガネの動作タイミングを示すタイミングチャートである。
【図４】本発明の他の実施形態に係る画像表示システムの構成を示すブロック図である。
【図５】本発明の他の実施形態における無線信号送信機の動作タイミングを示すタイミングチャートである。
【図６】本発明のさらに他の実施形態に係る画像表示システムの構成を示すブロック図である。
【図７】本発明のさらに他の実施形態における無線信号送信機の動作タイミングを示すタイミングチャートである。
【図８】本発明のさらに他の実施形態における３Ｄ画像用メガネの動作タイミングを示すタイミングチャートである。
【図９】従来技術における無線信号送信機、及び、３Ｄ画像用メガネの構成を示すブロック図である。
【図１０】図９に示す従来の無線信号送信機における制御動作のタイミングを示すタイミングチャートである。
【図１１】本発明の比較実施形態における画像表示システムの構成を示すブロック図である。
【図１２】本発明の比較実施形態における画像表示装置に３Ｄ映像が表示されている場合の、無線信号送信機の動作を示すタイミングチャートである。
【図１３】本発明の比較実施形態における画像表示装置に３Ｄ映像が表示されている場合の、３Ｄ画像用メガネの動作を示すタイミングチャートである。
【図１４】本発明の比較実施形態において、画像表示装置に表示される映像が２Ｄ映像から３Ｄ映像に切り替わる場合の、無線信号送信機の動作を示すタイミングチャートである。
【図１５】本発明の比較実施形態において、画像表示装置に表示される映像が２Ｄ映像から３Ｄ映像に切り替わる場合の、３Ｄ画像用メガネの動作を示すタイミングチャートである。
【図１６】本発明の比較実施形態において、画像表示装置に表示される映像が２Ｄ映像であるときに間欠制御タイマー部のタイマーを動作させる場合の、３Ｄ画像用メガネの動作を示すタイミングチャートである。
【図１７】本発明の比較実施形態において、画像表示装置に表示される映像が２Ｄ映像であるときに、無線信号受信部において受信チャンネルを周期的に切り替えながら受信動作を行う場合の、３Ｄ画像用メガネの動作を示すタイミングチャートである。
【図１８】本発明の比較実施形態において、画像表示装置に表示される映像が２Ｄ映像であるときに、無線信号受信部は受信チャンネルを複数備え、間欠制御タイマー部のタイマーを動作させる場合の、３Ｄ画像用メガネの動作を示すタイミングチャートである。
【発明を実施するための形態】
【００６６】
＜比較実施形態＞
本発明の実施形態を説明する前に、比較実施形態として、無線信号の受信部のＯＮ／ＯＦＦを切り替えて受信部を周期的に停止し、その間は自装置内において生成した同期信号に基づいて光シャッタを制御することにより、無線信号を受信する回数を低減することを目的として本発明の発明者により提案された、３Ｄ画像用メガネにおける消費電力を削減する技術について、図１１から図１３を参照して説明する。図１１は、上記技術を用いた３Ｄ画像用メガネ５１、及び、３Ｄ画像用メガネ５１に画像表示装置からの信号を送信する無線信号送信機５０を備えた画像表示システムの構成を示すブロック図である。
【００６７】
（無線信号送信機、３Ｄ画像用メガネの構成）
図１１に示すように、無線信号送信機５０は、周期検出部５０１、周期データ記憶部５０２、光シャッタ制御パターン解析部５０３、光シャッタ制御パターン記憶部５０４、及び、無線信号送信部５０５を備えている。
【００６８】
周期検出部５０１は、画像表示装置から受信した同期信号から周期を検出し、周期データとして周期データ記憶部５０２に格納する。光シャッタ制御パターン解析部５０３は、画像表示装置から受信した光シャッタ制御データを解析して光シャッタ制御パターン情報を生成し、光シャッタ制御パターン記憶部５０４に格納する。また、無線信号送信部５０５は、同期信号、周期データ及び光シャッタ制御パターン情報を送信する。
【００６９】
また、図１１に示すように、３Ｄ画像用メガネ５１は、無線信号受信部５１１、周期データ記憶部５１２、周期信号生成部５１３、光シャッタ制御パターン記憶部５１４、光シャッタ制御データ生成部５１５、光シャッタ制御タイミング生成部５１６、光シャッタ制御部５１７、光シャッタ５１８、間欠制御タイマー部５１９、周期間欠動作時間レジスタ５２０、及び、周期間欠制御部５２１を備えている。
【００７０】
無線信号受信部５１１は、無線信号送信機５０から受信した周期データを周期データ記憶部５１２に格納し、光シャッタ制御パターン情報を光シャッタ制御パターン記憶部５１４に格納する。周期信号生成部５１３は、同期信号を基準とし、周期データに従って周期信号を生成する。
【００７１】
光シャッタ制御データ生成部５１５は、周期信号及び、光シャッタ制御パターン情報から光シャッタ制御データを生成する。光シャッタ制御タイミング生成部５１６は、周期信号に基づき、光シャッタ制御タイミングを生成する。光シャッタ制御部５１７は、光シャッタ制御データ、及び、光シャッタ制御タイミングに基づいて、右光シャッタ制御信号、及び、左光シャッタ制御信号を生成し、光シャッタ５１８の動作を制御する。
【００７２】
また、無線信号受信部５１１は、同期信号を受信した旨を示す受信信号（図１１において、受信完了）を間欠制御タイマー部５１９に供給する。間欠制御タイマー部５１９は、受信信号が供給されると、周期間欠動作時間レジスタ５２０に格納されている無線受信を停止させる時間を示す所定の時間（以降、停止時間データとも呼称する）を読み出し、タイマーを動作させる。間欠制御タイマー部５１９は、タイマーが動作している間、タイマー動作信号を周期間欠制御部５２１に供給する。周期間欠制御部５２１は、タイマー動作信号が供給されている間、無線信号受信部５１１における無線信号の受信動作を停止（ＯＦＦ）し、タイマー動作信号が供給されない間は、無線信号の受信動作を行う（ＯＮ）ように制御する。
【００７３】
上記の構成において、例えば、１００Ｈｚの信号に対し、１００ｍｓ間に１ｍｓのみ無線信号受信部５１１をＯＮにして無線信号を受信し、それ以外の期間(９９ｍｓ)は周期信号生成部５１３で生成した周期信号を用いて光シャッタの制御を行い、無線信号受信部５１１をＯＦＦにして無線受信を停止するようにすれば、電力消費を１００分の１に低減することができる。
【００７４】
（無線信号送信機の動作）
次に、図１２を参照して、無線信号送信機５０の動作について説明する。図１２は、画像表示装置に立体視可能な映像である３Ｄ映像が表示されている場合の、無線信号送信機５０の動作を示すタイミングチャートである。
【００７５】
図１２（ａ）に示すように、３Ｄ映像が表示されているとき、画像表示装置には、（ｂ）に示すように、右目用画像と左目用画像とが交互に表示されている。
【００７６】
無線信号送信機５０は、図１２（ｃ）に示すように、画像表示装置から３Ｄ映像に含まれる右目用画像と左目用画像とが切り替わるタイミングを示す同期信号、及び、３Ｄ画像用メガネ５１が備える光シャッタ５１８の開閉タイミングを示す光シャッタ制御データを受信する。
【００７７】
周期検出部５０１は、同期信号を受信すると、図１２（ｄ）に示す周期データ（周期データＡ）を生成し、周期データ記憶部５０２に格納する。
【００７８】
光シャッタ制御パターン解析部５０３は、光シャッタ制御データを受信すると、図１２（ｅ）に示す光シャッタ制御パターン情報（パターンＢ）を生成し、光シャッタ制御パターン記憶部５０４に格納する。
【００７９】
無線信号送信部５０５は、周期データ及び光シャッタ制御パターン情報を読み出し、図１２（ｆ）に示すように、周期的に３Ｄ画像用メガネ５１に供給する。
【００８０】
（３Ｄ画像用メガネの動作）
次に、図１３を参照して、３Ｄ画像用メガネ５１の動作について説明する。図１３は、画像表示装置に３Ｄ映像が表示されている場合の、３Ｄ画像用メガネ５１の動作を示すタイミングチャートである。
【００８１】
無線信号受信部５１１は、同期信号（不図示）を受信し、受信した同期信号を周期信号生成部５１３に供給する。また、無線信号受信部５１１は、同期信号を受信した旨を示す受信信号を間欠制御タイマー部５１９に供給する。
【００８２】
間欠制御タイマー部５１９は、受信信号を取得すると、周期間欠動作時間レジスタ５２０から停止時間データを読み出し、所定の時間だけタイマーを動作させる。また、間欠制御タイマー部５１９は、タイマーが動作している間、図１３（ｅ）に示す、タイマー動作信号を周期間欠制御部５２１に供給する。
【００８３】
周期間欠制御部５２１は、図１３（ｂ）に示すように、タイマー動作信号が供給されていない場合、無線信号受信部５１１に対して受信部ＯＮ信号を供給する。無線信号受信部５１１は、受信部ＯＮ信号が供給されている間だけ、無線信号の受信動作を行う。また、無線信号受信部５１１は、受信部ＯＮ信号が供給されなくなると、無線信号の受信動作を停止する。
【００８４】
このように、無線信号受信部５１１は、間欠制御タイマー部５１９のタイマーが動作している間は無線信号の受信動作を停止し、タイマーの動作が停止している間は無線信号の受信動作を行うという２つの動作の状態を繰り返すことになる。
【００８５】
これによって、図１３（ｃ）に示すように、無線信号受信部５１１は、（ａ）に示す無線信号送信機５０から送信される無線信号の一部を周期的に受信することができる。従って、無線信号を受信しない間の無線信号受信部５１１における消費電力を削減することができる。
【００８６】
また、無線信号受信部５１１は、図１３（ｄ）に示す周期データを受信し、受信した周期データを周期データ記憶部５１２に格納する。周期信号生成部５１３は、同期信号を基準として、周期データ記憶部５１２に格納された周期データから、（ｆ）に示す周期信号を生成し、光シャッタ制御データ生成部５１５、及び、光シャッタ制御タイミング生成部５１６に供給する。
【００８７】
光シャッタ制御データ生成部５１５は、周期信号を基準として、光シャッタ制御パターン記憶部５１４に格納されている、図１３（ｇ）に示す光シャッタ制御パターン（光シャッタ制御パターン情報）から、（ｈ）に示す光シャッタ制御データを生成し、光シャッタ制御部５１７に供給する。また、光シャッタ制御タイミング生成部５１６は、周期信号に基づいて、光シャッタ制御タイミングを生成し、光シャッタ制御部５１７に供給する。
【００８８】
光シャッタ制御部５１７は、光シャッタ制御データと光シャッタ制御タイミングとに基づいて、図１３（ｉ）に示す右光シャッタ制御信号、及び、（ｊ）に示す左光シャッタ制御信号を生成する。光シャッタ制御部５１７は、生成した右光シャッタ制御信号及び左光シャッタ制御信号を、光シャッタ５１８供給し、この信号により右光シャッタと左光シャッタを開閉する。
【００８９】
但し、上述した３Ｄ画像用メガネ５１で無線信号受信部５１１における消費電力を削減する技術は、画像表示装置に３Ｄ映像が表示されている場合に限られてしまうという問題がある。具体的には、画像表示装置に表示される映像が３Ｄ映像でない場合には、３Ｄ映像の同期信号が無線信号送信機５０から送信されないため、３Ｄ画像用メガネ５１は、常時、無線信号の受信を行うことができるように無線信号受信部をＯＮにし続けなければならない。このため、画像表示装置に表示される映像が３Ｄ映像でない場合には、３Ｄ画像用メガネ５１の消費電力を低減することができなくなってしまう。
【００９０】
〔２Ｄ映像と３Ｄ映像とが切り替わる場合の動作〕
ここで、本比較実施形態に係る画像表示システムにおいて、画像表示装置に表示される映像が平面視用の映像である２Ｄ映像から３Ｄ映像に切り替わる場合の、無線信号送信機５０及び３Ｄ画像用メガネ５１の動作について、図１４から図１８を参照して、上述した問題を具体的に説明する。
【００９１】
（無線信号送信機の動作）
まず、無線信号送信機５０の動作について、図１４を参照して説明する。図１４は、画像表示装置に表示される映像が２Ｄ映像から３Ｄ映像に切り替わる場合の、無線信号送信機５０の動作を示すタイミングチャートである。
【００９２】
図１４（ａ）に示すように、２Ｄ映像が表示されている場合、画像表示装置には、（ｂ）に示すように、２Ｄ映像に含まれるフレーム画像が随時切り替わって表示されている。
【００９３】
また、図１４（ａ）に示すように、２Ｄ映像が表示されている場合、無線信号送信機５０は、（ｃ）に示すように、画像表示装置から同期信号及び光シャッタ制御データの何れの信号も受信しない。このため、無線信号送信機５０では、（ｄ）及び（ｅ）に示すように、周期データ及び光シャッタ制御パターン情報の何れも生成されず、（ｆ）に示すように、無線信号送信部５０５は何れの信号も送信されない。
【００９４】
なお、画像表示装置に表示される映像が３Ｄ映像に切り替わった後の無線信号送信機５０における動作は、上述した通りである。
【００９５】
（３Ｄ画像用メガネの動作１）
次に、３Ｄ画像用メガネ５１の動作について、図１５を参照して説明する。図１５は、画像表示装置に表示される映像が２Ｄ映像から３Ｄ映像に切り替わる場合の、３Ｄ画像用メガネ５１の動作を示すタイミングチャートである。
【００９６】
画像表示装置に２Ｄ映像が表示されている場合、図１５（ａ）に示すように、無線信号送信機５０から何れの信号も送信されないため、（ｃ）に示すように無線信号受信部５１１において、何れの信号も受信されない。無線信号受信部５１１において、何れの信号も受信されないため、図１５（ｅ）に示すように、無線信号受信部５１１の動作を停止する期間を決定する間欠制御タイマー部５１９のタイマーが動作しない。このため、３Ｄ画像用メガネ５１は、常時、無線信号の受信を行うことができるように無線信号受信部５１１をＯＮにし続けなければならない。
【００９７】
また、図１５（ｄ）及び（ｇ）に示すように、周期データ及び光シャッタ制御パターン情報が受信されないため、（ｆ）及び（ｈ）に示すように、周期信号及び光シャッタ制御データも生成されず、（ｉ）及び（ｊ）に示すように、右光シャッタ制御信号及び左光シャッタ制御信号も生成されない。
【００９８】
なお、画像表示装置に表示される映像が３Ｄ映像に切り替わった後の３Ｄ画像用メガネ５１における動作は、上述した通りである。
【００９９】
（３Ｄ画像用メガネの動作２）
上述した問題に対して、例えば、タイマーを用いて無線信号受信部５１１を一定時間毎にＯＦＦにすることにより、消費電力の削減を図る方法が考えられる。ここで、タイマーを用いて無線信号受信部５１１を一定時間毎にＯＦＦにする場合の３Ｄ画像用メガネ５１の動作について、図１６を参照して説明する。図１６は、本比較実施形態において、画像表示装置に表示される映像が２Ｄ映像であるときに、間欠制御タイマー部５１９のタイマーを動作させる場合の、３Ｄ画像用メガネ５１の動作を示すタイミングチャートである。
【０１００】
画像表示装置に２Ｄ映像が表示されているため、図１６（ａ）に示すように無線信号送信機５０から無線信号が送信されない場合においても、（ｅ）に示すように、間欠制御タイマー部５１９は、タイマーを動作させる。このとき、間欠制御タイマー部５１９は、タイマーを動作させるため、周期間欠動作時間レジスタ５２０から、無線信号受信部の受信動作を停止させる時間を設定したデータを読み出す。なお、このとき読み出されるデータは、画像表示装置に３Ｄ映像が表示されている場合に読み出される停止時間データと同じデータであってもよいし、異なるデータであってもよい。
【０１０１】
間欠制御タイマー部５１９においてタイマーが動作し、周期間欠制御部５２１にタイマー動作信号が供給されるため、図１６（ｂ）に示すように、無線信号受信部５１１の動作が、タイマーが動作している間ＯＦＦになり、タイマーが動作していない間ＯＮになる。
【０１０２】
しかし、このような場合では、画像表示装置に表示される映像が２Ｄ映像から３Ｄ映像に切り替わった後に無線信号送信機５０から送信される信号を受信する必要があるため、無線信号受信部５１１をＯＮにする時間は、無線信号送信機５０から信号が送信される周期よりも長くする必要がある。例えば、無線信号送信機５０における送信の周期が１００Ｈｚである場合、無線信号受信部５１１を１０ｍｓの間ＯＮにし、９０ｍｓの間ＯＦＦにすることはできるが、消費電力の削減の効果は、１０分の１に留まる。
【０１０３】
また、無線信号受信部５１１を１０ｍｓの間ＯＮにし、９９０ｍｓの間ＯＦＦにすることで消費電力を１００分の１に削減できる。しかし、画像表示装置に表示される映像が２Ｄ映像から３Ｄ映像に切り替わったとき、無線信号受信部５１１における受信動作が、最大で９９０ｍｓ遅延してしまうことになる。
【０１０４】
（３Ｄ画像用メガネの動作３）
さらに、上述した問題は、無線信号送信機５０及び３Ｄ画像用メガネ５１が、複数のチャンネルを切り替えて信号の送受信を行うことが可能な構成を備える場合に、特に顕著に現れる。例えば、複数のチャンネルを切り替えることができる場合、無線信号が無線信号送信機５０から送信されていないのか、無線信号受信部５１１が現在受信しようとしているチャンネルと異なるチャンネルから送信されてきているのかを判断することができない。このため、無線信号受信部５１１は、受信チャンネルを周期的に切り替えながら受信動作を行う必要がある。
【０１０５】
受信チャンネルを周期的に切り替えながら受信動作を行う場合について、図１７を参照して説明する（図１７においては、チャンネルをｃｈとして表記する）。図１７は、本比較実施形態において、画像表示装置に表示される映像が２Ｄ映像であるときに、無線信号受信部５１１において受信チャンネルを周期的に切り替えながら受信動作を行う場合の、３Ｄ画像用メガネ５１の動作を示すタイミングチャートである。
【０１０６】
ここでは、無線信号送信機５０及び３Ｄ画像用メガネ５１が、切り替え可能なチャンネルを１０チャンネル備えている場合を例に挙げて説明する。なお、画像表示装置に表示される映像が２Ｄ映像から３Ｄ映像に切り替わったときに無線信号送信機５０から送信される無線信号が、チャンネル７から送信される場合を例に挙げて説明している。
【０１０７】
図１７（ｂ）に示すように、無線信号受信部５１１は、受信チャンネルをチャンネル１からチャンネル１０までを周期的に切り替えながら、受信動作を行う。図１７（ｂ）に示すように、受信チャンネルがチャンネル３であるタイミングで、（ａ）に示すように、無線信号が無線信号送信機５０のチャンネル７から送信された場合、（ｃ）に示すように、受信チャンネルがチャンネル７に切り替わるまで、無線信号を受信することができない。
【０１０８】
従って、複数のチャンネルを切り替えて信号の送受信を行うことが可能な構成を備える場合には、消費電力の削減効果が得られないだけでなく、無線信号の受信が遅延してしまうことになる。例えば、上述のように、受信チャンネルが１０チャンネルあり、それぞれのチャンネルのＯＮ時間が１０ｍｓである場合には、消費電力を削減することはできず、また、無線信号の受信が最大で９０ｍｓ遅延することになる。
【０１０９】
（３Ｄ画像用メガネの動作４）
また、無線信号送信機５０及び３Ｄ画像用メガネ５１が、複数のチャンネルを切り替えて信号の送受信を行うことが可能な構成を備える場合に、各チャンネルをＯＮにした後に一定期間ＯＦＦにすることが考えられる。ここで、無線信号受信部５１１が受信チャンネルを複数備えている場合に、タイマーを用いて無線信号受信部５１１を一定時間毎にＯＦＦにする場合の３Ｄ画像用メガネ５１の動作について、図１８を参照して説明する（図１８においては、チャンネルをｃｈとして表記する）。図１８は、本比較実施形態において、画像表示装置に表示される映像が２Ｄ映像であるときに、無線信号受信部５１１が受信チャンネルを複数備え、間欠制御タイマー部５１９のタイマーを動作させる場合の、３Ｄ画像用メガネ５１の動作を示すタイミングチャートである。
【０１１０】
ここでは、無線信号送信機５０及び３Ｄ画像用メガネ５１が、切り替え可能なチャンネルを１０チャンネル備えている場合を例に挙げて説明する。なお、画像表示装置に表示される映像が２Ｄ映像から３Ｄ映像に切り替わったときに無線信号送信機５０から送信される無線信号が、チャンネル７から送信される場合を例に挙げて説明している。
【０１１１】
図１８（ｅ）に示すように、間欠制御タイマー部５１９は、周期間欠動作時間レジスタ５２０から、無線信号受信部の受信動作を停止させる時間を設定したデータを読み出し、タイマーを動作させる。このとき、無線信号受信部５１１は、図１８（ｂ）に示すように、受信チャンネルをチャンネル１からチャンネル１０までを周期的に切り替えながら、受信動作を行うとともに、周期的にＯＮとＯＦＦとが周期間欠制御部５２１によって切り替えられる。
【０１１２】
無線信号受信部５１１は、図１８（ｂ）に示すように、受信チャンネルがチャンネル２であるタイミングで、（ａ）に示すように、無線信号が無線信号送信機５０のチャンネル７から送信された場合、（ｃ）に示すように、受信チャンネルがチャンネル７に切り替わるまで、無線信号を受信することができない。
【０１１３】
例えば、例えば、無線信号送信機５０における送信の周期が１００Ｈｚであり、上述のように、受信チャンネルが１０チャンネルあり、それぞれのチャンネルのＯＮ時間が１０ｍｓであり、ＯＦＦ時間が９９０ｍｓである場合、消費電力は１００分の１となるが、無線信号の受信が最大で９９９０ｍｓ遅延することになる。
【０１１４】
上述したように、本比較実施形態に係る３Ｄ画像用メガネ及び無線信号受信器では、消費電力を削減することができず、また、削減することができる場合であっても、画像表示装置に表示される映像が２Ｄ映像から３Ｄ映像に切り替わった場合に、無線信号の受信が大幅に遅延してしまうという問題がある。
【０１１５】
なお、本比較実施形態では、画像表示装置に表示される映像が２Ｄ映像から３Ｄ映像に切り替わる場合を例に挙げて説明したが、３Ｄ映像から２Ｄ映像に切り替わる場合であっても同様である。つまり、画像表示装置に表示される映像が３Ｄ映像から２Ｄ映像に切り替わる場合にも、２Ｄ映像の表示期間中は同期信号が受信されなくなるため、無線信号受信部は、常時、無線信号の受信を行うことができるように無線信号受信部をＯＮにし続けなければならない。
【０１１６】
そこで、本発明では、画像表示装置に表示される映像が３Ｄ映像であるか否かに係わらず、３Ｄ画像用メガネの無線信号受信部における消費電力を低減することのできる技術方案を提供する。
【０１１７】
＜実施形態１＞
本発明に係る無線信号送信機の一実施形態について、図１から図３を参照して以下に説明する。但し、この実施形態に記載されている構成は、特に特定的な記載がない限り、この発明の範囲をそれのみに限定する趣旨ではなく、単なる説明例に過ぎない。
【０１１８】
〔画像表示システムの構成〕
まず、本実施形態に係る無線信号送信機を備える画像表示システムについて、図１を参照して説明する。図１は、本実施形態に係る画像表示システムの構成を示すブロック図である。図１に示すように、本実施形態に係る画像表示システム１は、画像表示装置（不図示）に接続された無線信号送信機２０、及び、３Ｄ画像用メガネ３０を備えている。
【０１１９】
画像表示装置としては、例えば、テレビジョン受像機（ＴＶ：Television、以降、テレビとも呼称する）やパーソナルコンピュータ（ＰＣ：Personal Computer、以降、パソコンとも呼称する）などを挙げることができる。
【０１２０】
（無線信号送信機の構成）
まず、画像表示システム１に備えられる無線信号送信機２０について説明する。図１に示すように、無線信号送信機２０は、受信部２０１、周期検出部（第１周期検出手段、第２周期検出手段）２０２、周期データ記憶部（第１周期データ記憶部）２０３、光シャッタ制御パターン解析部（光シャッタ制御パターン解析手段）２０４、光シャッタ制御パターン記憶部２０５、及び、無線信号送信部２０６を備えている。
【０１２１】
受信部２０１は、画像表示装置から、同期信号（第１同期信号、第２同期信号）、光シャッタ制御データ（光シャッタ制御データ）、及び、映像種別信号などを受信する。なお、映像種別信号は、画像表示装置に表示される映像が、立体視可能な映像である、右目用画像と左目用画像とを含む３Ｄ映像（３次元映像）であるか、平面視用の映像である、フレーム画像を含む２Ｄ映像（２次元映像）であるかを示す信号である。
【０１２２】
また、画像表示装置に表示される映像が３Ｄ映像である場合に受信される同期信号は、画像表示装置に表示される３Ｄ映像に含まれる右目用画像と左目用画像とが切り替わるタイミングを示している。また、画像表示装置に表示される映像が２Ｄ映像である場合に受信される同期信号は、画像表示装置に表示されるフレーム画像が切り替わるタイミングを示している。なお、画像表示装置に表示される映像が３Ｄ映像である場合に受信される同期信号を３Ｄ同期信号（第１同期信号）とも呼称し、２Ｄ映像である場合に受信される同期信号を２Ｄ同期信号（第２同期信号）とも呼称する。
【０１２３】
なお、本実施形態における２Ｄ映像及び３Ｄ映像は、動画であってもよいし、静止画であってもよいし、動画及び静止画が組み合わされた映像であってもよい。
【０１２４】
なお、３Ｄ同期信号は、画像表示装置に表示される映像が３Ｄ映像である場合の同期信号であり、画像表示装置に表示される３Ｄ映像に含まれる右目用画像と左目用画像とが切り替わるタイミングを示している。また、２Ｄ同期信号は、画像表示装置に表示される映像が２Ｄ映像である場合の同期信号であり、画像表示装置に表示されるフレーム画像が切り替わるタイミングを示している。
【０１２５】
光シャッタ制御データは、画像表示装置に表示される映像が３Ｄ映像である場合に、３Ｄ画像用メガネ３０が備える右光シャッタ及び左光シャッタの開閉タイミングを示す信号であり、右目用画像が表示される場合に、後述する３Ｄ画像用メガネ３０が備える光シャッタの「右光シャッタを開く」ことを指示し、左目用画像が表示される場合に「左光シャッタを開く」ことを指示する信号である。
【０１２６】
周期検出部２０２は、受信部２０１において受信された同期信号の間隔から、同期信号の周期を検出し、検出した周期を周期データ（第１周期データ、第２周期データ）として周期データ記憶部２０３に格納する。また、周期検出部２０２は、同期信号の周期を検出する度に、周期データ記憶部２０３に格納されている周期データを最新のデータに更新する。
【０１２７】
光シャッタ制御パターン解析部２０４は、受信部２０１において受信された光シャッタ制御データの繰り返しパターンを解析して光シャッタ制御パターン情報を生成し、光シャッタ制御パターン記憶部２０５に格納する。また、光シャッタ制御パターン解析部２０４は、光シャッタ制御パターン情報を生成する度に、光シャッタ制御パターン記憶部２０５に格納されている光シャッタ制御パターン情報を最新のデータに更新する。
【０１２８】
無線信号送信部２０６は、受信部２０１において受信された映像種別信号が３Ｄ映像であることを示す場合、周期データ記憶部２０３から周期データを読み出し、光シャッタ制御パターン記憶部２０５から光シャッタ制御パターン情報を読み出す。無線信号送信部２０６は、読み出した周期データ及び光シャッタ制御パターン情報を３Ｄ画像用メガネ３０に送信する。
【０１２９】
また、無線信号送信部２０６は、受信部２０１において受信された映像種別信号が、画像表示装置に表示される映像が３Ｄ映像でないことを示す（画像表示装置に表示される映像が２Ｄ映像である）場合、同期信号停止信号を生成する。なお、同期信号停止信号は、画像表示装置に表示される映像が３Ｄ映像でないことを示す信号である。無線信号送信部２０６は、生成した同期信号停止信号を送信する。
【０１３０】
（３Ｄ画像用メガネの構成）
次に、画像表示システム１に備えられる３Ｄ画像用メガネ３０について説明する。図１に示すように、３Ｄ画像用メガネ３０は、無線信号受信部３０１、周期データ記憶部３０２、周期信号生成部（周期信号生成手段）３０３、光シャッタ制御パターン記憶部３０４、光シャッタ制御データ生成部３０５、光シャッタ制御タイミング生成部（光シャッタ制御信号生成手段）３０６、光シャッタ制御部３０７、光シャッタ３０８、間欠制御タイマー部（タイマー制御手段）３０９、周期間欠動作時間レジスタ（レジスタ）３１０、周期間欠制御部（受信間欠制御手段）３１１、及び、同期信号停止信号記憶部３１２を備えている。
【０１３１】
無線信号受信部３０１は、無線信号送信機２０から、光シャッタ制御パターン情報、周期データ、同期信号、同期信号停止信号などの無線信号を受信する。無線信号受信部３０１は、受信した周期データを周期データ記憶部３０２に格納し、光シャッタ制御パターン情報を光シャッタ制御パターン記憶部３０４に格納し、同期信号停止信号を同期信号停止信号記憶部３１２に格納する。また、無線信号受信部３０１は、受信した同期信号を、周期信号生成部３０３に供給する。
【０１３２】
周期信号生成部３０３は、周期データ記憶部３０２に格納されている周期データを読み出し、無線信号受信部３０１から供給される同期信号を基準として周期信号を生成する。周期信号生成部３０３は、生成した周期信号を、光シャッタ制御データ生成部３０５、及び、光シャッタ制御タイミング生成部３０６に供給する。また、周期信号生成部３０３は、同期信号停止信号記憶部３１２に同期信号停止信号が格納されている場合には、同期信号の生成を停止する。
【０１３３】
光シャッタ制御データ生成部３０５は、光シャッタ制御パターン記憶部３０４に格納されている光シャッタ制御パターン情報を読み出し、周期信号生成部３０３から供給される周期信号を基準として、光シャッタ制御データを生成する。光シャッタ制御データ生成部３０５は、生成した光シャッタ制御データを光シャッタ制御部３０７に供給する。
【０１３４】
光シャッタ制御タイミング生成部３０６は、周期信号生成部３０３から供給される周期信号を基準として、光シャッタ制御タイミングを生成し、光シャッタ制御部３０７に供給する。
【０１３５】
同期信号停止信号記憶部３１２には、無線信号受信部３０１において受信した同期信号停止信号が格納される。また、無線信号受信部３０１において同期信号停止信号が受信されない場合には、同期信号停止信号記憶部３１２に格納されている同期信号停止信号は削除される。
【０１３６】
同期信号停止信号記憶部３１２は、周期信号生成部３０３及び光シャッタ制御部３０７に対し、同期信号停止信号が格納されている場合には、格納されている旨を示す信号を供給し、格納されていない場合には、格納されていない旨を示す信号を供給する。
【０１３７】
光シャッタ制御部３０７は、同期信号停止信号記憶部３１２に同期信号停止信号が格納されていない場合、光シャッタ制御タイミング生成部３０６から供給される光シャッタ制御タイミング、及び、光シャッタ制御データ生成部３０５から供給される光シャッタ制御データに基づいて、光シャッタ制御タイミングを生成する。光シャッタ制御信号には、右光シャッタを制御する右光シャッタ制御信号と、左光シャッタを制御する左光シャッタ制御信号とを含んでいる。光シャッタ制御部３０７は、生成した光シャッタ制御信号を、光シャッタ３０８に供給する。また、光シャッタ制御部３０７は、同期信号停止信号記憶部３１２に同期信号停止信号が格納されている場合には、左右の光シャッタを両方とも開くことを指示する光シャッタ制御信号を光シャッタ３０８に供給する。
【０１３８】
光シャッタ３０８は、光シャッタ制御部３０７から供給された右光シャッタ制御信号及び左光シャッタ制御信号を含む光シャッタ制御信号に基づき、右光シャッタ及び左光シャッタを交互に開閉するよう動作する。画像表示装置に右目用画像が表示される場合には、右光シャッタを開いて右目用画像を透過させ、左光シャッタを閉じて右目用画像を遮断する。また、画像表示装置に左目用画像が表示される場合には、左光シャッタを開いて左目用画像を透過させ、右光シャッタを閉じて左目用画像を遮断する。また、光シャッタ３０８は、光シャッタ制御部３０７から左右の光シャッタを両方とも開くことを指示する光シャッタ制御信号を取得した場合には、左光シャッタ及び右光シャッタが両方とも開くように制御を行う。
【０１３９】
光シャッタ３０８は、例えば、液晶によって構成されており（いわゆる、液晶シャッタ）、左右の液晶シャッタを開閉することで光の透過及び遮断を行うことにより、右目用画像及び左目用画像の透過及び遮断を行うことができる。なお、本発明はこれに限定されるものではなく、例えば、光シャッタ３０８は、ＰＬＺＴ（チタン酸ジルコン酸鉛）によって構成されていてもよく、ブラインドなどの機械的なシャッタによって構成されていてもよい。
【０１４０】
間欠制御タイマー部３０９は、無線受信を間欠的に動作させる時間を管理するタイマーを有している。間欠制御タイマー部３０９は、周期間欠動作時間レジスタ３１０に格納されている、無線受信を停止させる時間を示す所定の時間（以降、停止時間データとも呼称する）を読み出し、読み出した所定の時間だけタイマーを動作させる。また、間欠制御タイマー部３０９は、周期間欠制御部３１１に、タイマーが動作している間、タイマーが動作していることを示すタイマー動作信号を供給する。
【０１４１】
周期間欠制御部３１１は、間欠制御タイマー部３０９から供給されるタイマー動作信号に基づき、無線信号受信部３０１の動作を制御する。具体的には、周期間欠制御部３１１は、タイマー動作信号が供給されている間、無線信号受信部３０１における無線信号の受信動作を停止させるよう、無線信号受信部３０１に受信部ＯＦＦ信号を供給する。また、周期間欠制御部３１１は、タイマー動作信号が供給されない間、無線信号受信部３０１において無線信号が受信されるよう、無線信号受信部３０１に受信部ＯＮ信号を供給する。
【０１４２】
〔画像表示システムの動作〕
次に、本実施形態に係る画像表示システム１の動作について、図２及び図３を参照して説明する。図２は、無線信号送信機２０の動作タイミングを示すタイミングチャートである。また、図３は、３Ｄ画像用メガネ３０の動作タイミングを示すタイミングチャートである。
【０１４３】
（無線信号送信機の動作）
まず、図２を参照して、無線信号送信機２０の動作について説明する。図２（ａ）は、画像表示装置に表示される映像が２Ｄ映像であるか、３Ｄ映像であるかを示している。（ｂ）は、画像表示装置に表示される映像が２Ｄ映像である場合には、２Ｄ映像を構成するフレーム、画像表示装置に表示される映像が３Ｄ映像である場合には、３Ｄ映像を構成する右目用画像及び左目用画像の切り替わりを示している。（ｃ）は、画像表示装置から送信される同期信号、及び、光シャッタ制御データを示し、（ｄ）は、画像表示装置から送信される映像種別信号を示している。（ｅ）は、周期検出部２０２において生成される周期データを示し、（ｆ）は、光シャッタ制御パターン解析部２０４において生成される光シャッタ制御パターン情報を示している。また、（ｇ）は、無線信号送信部２０６から無線信号が送信されるタイミングを示しており、（ｈ）は、同期信号停止信号を示している。
【０１４４】
なお、図２（ｈ）に示すように、同期信号停止信号は、ハイレベルのとき、画像表示装置に表示される映像が３Ｄ映像でないことを示している。
【０１４５】
（２Ｄ映像の場合）
図２（ａ）及び（ｂ）に示すように画像表示装置に２Ｄ映像が表示されているときには、（ｃ）に示すように、受信部２０１は、２Ｄ映像に含まれるフレーム画像が切り替わる度に同期信号を受信するが、光シャッタ制御データは受信されない。受信部２０１は、受信した同期信号を、周期検出部２０２に供給する。
【０１４６】
周期検出部２０２は、図２（ｅ）に示すように、同期信号が供給される度に周期データＡ’を生成し、最新の周期データＡ’を周期データ記憶部２０３に格納する。
【０１４７】
無線信号送信部２０６は、図２（ｄ）に示すように映像種別信号が２Ｄ映像であることを示す信号である場合、又は、画像表示装置から映像種別信号が受信されない場合、図２（ｈ）に示すようにハイレベルの値を有する同期信号停止信号を生成する。
【０１４８】
無線信号送信部２０６は、図２（ｇ）に示す無線信号を送信するタイミングにおいて、周期データ記憶部２０３から読み出した周期データＡ’、及び、生成した同期信号停止信号を、３Ｄ画像用メガネ３０に送信する。
【０１４９】
（３Ｄ映像の場合）
また、図２（ａ）及び（ｂ）に示すように画像表示装置に３Ｄ映像が表示されているときには、（ｃ）に示すように、受信部２０１は、３Ｄ映像の右目用画像と左目用画像とが切り替わる度に同期信号を受信すると共に、光シャッタ制御データを受信する。受信部２０１は、受信した同期信号を周期検出部２０２に供給し、光シャッタ制御データを光シャッタ制御パターン解析部２０４に供給する。
【０１５０】
周期検出部２０２は、図２（ｅ）に示すように、同期信号が供給される度に周期データＡを生成し、最新の周期データＡを周期データ記憶部２０３に格納する。また、光シャッタ制御パターン解析部２０４は、図２（ｆ）に示すように、光シャッタ制御データが供給される度に光シャッタ制御パターン情報（図２（ｆ）において、パターンＢ）を生成し、最新の光シャッタ制御パターン情報を光シャッタ制御パターン記憶部２０５に格納する。
【０１５１】
無線信号送信部２０６は、図２（ｇ）に示す無線信号を送信するタイミングにおいて、受信した同期信号、周期データ記憶部２０３に格納された周期データＡ、及び、光シャッタ制御パターン記憶部２０５から読み出した光シャッタ制御パターン情報を、３Ｄ画像用メガネに送信する。
【０１５２】
（３Ｄ画像用メガネの動作）
次に、図３を参照して、３Ｄ画像用メガネ３０の動作について説明する。図３（ａ）は、無線信号送信機２０から無線信号が送信されるタイミングを示している。（ｂ）は、周期間欠制御部３１１が無線信号受信部３０１に供給する受信部ＯＮ信号及び受信部ＯＦＦ信号を示し、（ｃ）は、無線信号受信部３０１にいて無線信号を受信するタイミングを示し、（ｄ）は、無線信号受信部３０１において受信した周期データを示している。（ｅ）は、間欠制御タイマーの動作状態を示し、（ｆ）は、周期信号生成部３０３において生成される周期信号を示し、（ｇ）は、光シャッタ制御パターン記憶部３０４に格納されている光シャッタ制御パターン（光シャッタ制御パターン情報）を示し、（ｈ）は、無線信号受信部３０１において受信した同期信号停止信号を示している。また、（ｉ）は、光シャッタ制御データ生成部３０５において生成された光シャッタ制御データを示し、（ｊ）及び（ｋ）は、光シャッタ制御部３０７において生成された右光シャッタ制御信号、及び、左光シャッタ制御信号を示している。
【０１５３】
（２Ｄ映像の場合）
画像表示装置に表示される映像が２Ｄ映像である場合、無線信号受信部３０１は、図３（ｈ）に示す同期信号停止信号を受信し、受信した同期信号停止信号を同期信号停止信号記憶部３１２に格納する。また、無線信号受信部３０１は、同期信号停止信号を受信した旨を示す受信信号（図１において、受信完了）を間欠制御タイマー部３０９に供給する。
【０１５４】
間欠制御タイマー部３０９は、受信信号を取得すると、周期間欠動作時間レジスタ３１０から、無線受信を停止させる時間を示す停止時間データを読み出し、所定の時間だけタイマーを動作させる。また、間欠制御タイマー部３０９は、タイマーが動作している間、図３（ｅ）に示すタイマー動作信号（図３（ｅ）において、タイマー動作中）、を周期間欠制御部３１１に供給する。
【０１５５】
周期間欠制御部３１１は、図３（ｂ）に示すように、タイマー動作信号が供給されない間、無線信号受信部３０１に対して受信部ＯＮ信号を供給する。無線信号受信部３０１は、受信部ＯＮ信号が供給されている間、無線信号の受信動作を行う。
【０１５６】
また、周期間欠制御部３１１は、図３（ｂ）に示すように、タイマー動作信号が供給されている間、無線信号受信部３０１に対して受信部ＯＦＦ信号を供給する。無線信号受信部３０１は、受信部ＯＦＦ信号が供給されている間、無線信号の受信動作を停止する。
【０１５７】
このように、無線信号受信部３０１は、間欠制御タイマー部３０９のタイマーが動作している間は無線信号の受信動作を停止し、タイマーの動作が停止している間は無線信号の受信動作を行うという２つの動作の状態を繰り返すことになる。
【０１５８】
また、無線信号受信部３０１は、図３（ｄ）に示す周期データＡ’を受信し、受信した周期データを周期データ記憶部３０２に格納する。周期信号生成部３０３は、同期信号停止信号記憶部３１２に、図３（ｈ）に示す同期信号停止信号が格納されていない場合、周期データ記憶部３０２に格納された周期データ及び同期信号に基づいて、（ｆ）に示す周期信号を生成し、光シャッタ制御データ生成部３０５、及び、光シャッタ制御タイミング生成部３０６に供給する。周期信号生成部３０３は、同期信号停止信号記憶部に、図３（ｈ）に示す同期信号停止信号が格納されている場合、同期信号停止信号を読み出すと共に、（ｆ）に示すように、周期信号の生成を停止する。
【０１５９】
周期信号生成部３０３から周期信号が供給されないため、光シャッタ制御タイミング生成部３０６において、光シャッタ制御タイミングは生成されない。また、周期信号生成部３０３から周期信号が供給されないため、光シャッタ制御データ生成部３０５において光シャッタ制御データは生成されない。
【０１６０】
これによって、図３（ｃ）に示すように、無線信号受信部３０１は、（ａ）に示す無線信号送信機２０から送信される無線信号の一部を周期的に受信することができる。従って、無線信号を受信しない間の無線信号受信部３０１における消費電力を削減することができる。
【０１６１】
また、光シャッタ制御タイミング生成部３０６は、周期信号生成部３０３から周期信号が供給されないため、光シャッタ制御タイミングの生成を停止する。また、光シャッタ制御タイミング生成部３０６は、光シャッタ制御部３０７に左右の光シャッタを両方とも開くことを指示する光シャッタ制御データを出力し、光シャッタ３０８は、左右の光シャッタが両方とも開いた状態に制御される。
【０１６２】
（３Ｄ映像の場合）
画像表示装置に表示される映像が３Ｄ映像である場合、無線信号受信部３０１は、同期信号（不図示）を受信し、受信した同期信号を周期信号生成部３０３に供給する。また、無線信号受信部３０１は、同期信号を受信した旨を示す受信信号（図１において、受信完了）を間欠制御タイマー部３０９に供給する。
【０１６３】
間欠制御タイマー部３０９は、受信信号を取得すると、周期間欠動作時間レジスタ３１０から、無線受信を停止させる時間を示す停止時間データを読み出し、所定の時間だけタイマーを動作させる。また、間欠制御タイマー部３０９は、タイマーが動作している間、図３（ｅ）に示すタイマー動作信号（図３（ｅ）において、タイマー動作中）、を周期間欠制御部３１１に供給する。
【０１６４】
周期間欠制御部３１１は、図３（ｂ）に示すように、タイマー動作信号が供給されていない場合、無線信号受信部３０１に対して受信部ＯＮ信号を供給する。無線信号受信部３０１は、受信部ＯＮ信号が供給されている間だけ、無線信号の受信動作を停止する。また、無線信号受信部３０１は、受信部ＯＮ信号が供給されなくなると、無線信号の受信動作を行う。
【０１６５】
このように、無線信号受信部３０１は、間欠制御タイマー部３０９のタイマーが動作している間は無線信号の受信動作を停止し、タイマーの動作が停止している間は無線信号の受信動作を行うという２つの動作の状態を繰り返すことになる。
【０１６６】
これによって、図３（ｃ）に示すように、無線信号受信部３０１は、（ａ）に示す無線信号送信機２０から送信される無線信号の一部を周期的に受信することができる。従って、無線信号を受信しない間の無線信号受信部３０１における消費電力を削減することができる。
【０１６７】
また、無線信号受信部３０１は、図３（ｄ）に示す周期データＡを受信し、受信した周期データを周期データ記憶部３０２に格納する。周期信号生成部３０３は、周期データ記憶部３０２に格納された周期データ及び同期信号に基づいて、（ｆ）に示す周期信号を生成し、光シャッタ制御データ生成部7３０５、及び、光シャッタ制御タイミング生成部３０６に供給する。
【０１６８】
光シャッタ制御データ生成部３０５は、光シャッタ制御パターン記憶部３０４に格納されている、図３（ｇ）に示す光シャッタ制御パターン情報と、周期信号とに基づいて、図３（ｉ）に示す光シャッタ制御データを生成し、光シャッタ制御部３０７に供給する。また、光シャッタ制御タイミング生成部３０６は、同期信号停止信号記憶部に格納されている、図３（ｈ）に示す同期信号停止信号と、周期信号とに基づいて、光シャッタ制御タイミング（不図示）を生成し、光シャッタ制御部３０７に供給する。
【０１６９】
光シャッタ制御部３０７は、図３（ｉ）に示す光シャッタ制御データと光シャッタ制御タイミングとに基づいて、（ｊ）に示す右光シャッタ制御信号、及び、（ｋ）に示す左光シャッタ制御信号を生成する。光シャッタ制御部３０７は、生成した右光シャッタ制御信号及び左光シャッタ制御信号を、光シャッタ３０８に供給し、右光シャッタ及び左光シャッタを制御する。
【０１７０】
以上のように、画像表示装置に表示される映像が３Ｄ映像である場合には、本実施形態に係る無線信号送信機２０は、同期信号を送信する。３Ｄ画像用メガネ３０における間欠制御タイマー部３０９は、同期信号が受信されると、周期間欠動作時間レジスタ３１０に格納されている停止時間データを読み出し、タイマーの動作を開始する。周期間欠制御部３１１は、タイマーが動作している間、無線信号受信部３０１をＯＦＦにし、タイマーの動作が完了した後に、無線信号受信部３０１をＯＮにする。このようにして、間欠制御タイマー部３０９及び周期間欠制御部３１１は、無線信号受信部３０１が間欠動作するよう制御する。
【０１７１】
また、３Ｄ画像用メガネ３０における光シャッタ制御データ生成部３０５は、周期信号生成部３０３において同期信号を基準として生成された周期信号を基準とし、受信した光シャッタ制御パターン情報に従って光シャッタ制御データを生成する。また、光シャッタ制御タイミング生成部３０６は、周期信号を基準とし、光シャッタ制御信号タイミングを生成する。光シャッタ制御部３０７は、この２つの信号から光シャッタ制御信号を発生して、左右の光シャッタ３０８を駆動する。なお、周期信号生成部３０３は、無線信号受信部３０１がＯＦＦである場合にも、周期信号の生成を続けるため、この周期信号を基準として光シャッタ制御データと光シャッタ制御信号タイミングとを生成し、光シャッタ制御信号の生成を継続することができる。
【０１７２】
これにより、画像表示装置に右目用画像が表示されている間には右光シャッタのみが開き、左目用画像が表示されている間には左光シャッタのみが開くという動作を行うことになる。
【０１７３】
さらに、本実施形態に係る無線信号送信機２０は、画像表示装置に表示される映像が２Ｄ映像である場合にも、画像表示装置から受信する、２Ｄ映像であることを示す映像種別信号から同期信号停止信号を生成し、３Ｄ画像用メガネ３０に送信する。３Ｄ画像用メガネ３０は、同期信号停止信号を受信することにより、画像表示装置に表示される映像が３Ｄ映像でない場合にも、３Ｄ映像の同期信号を受信する場合と同様に、無線信号受信部３０１における無線信号の受信動作を停止することが可能となる。
【０１７４】
これにより、周期的に無線信号受信部３０１を動作させて無線信号を受信し、それ以外の間は無線信号受信部３０１を停止し、無線信号受信部３０１における消費電力を削減することができる。
【０１７５】
また、３Ｄ画像用メガネ３０は、周期的に無線信号の受信を行うため、無線信号送信機２０から送信される無線信号の送信期間、及び、何れの無線通信チャンネルを使用しているかを把握し続けることができる。このため、画像表示装置で表示される映像が２Ｄ映像から３Ｄ映像に切り替わった場合にも、素早く無線信号の受信を行い、光シャッタ３０８の制御を開始することができる。
【０１７６】
なお、本実施形態においては、画像表示装置に表示される映像が２Ｄ映像から３Ｄ映像に切り替わる場合を例に挙げて説明したが、３Ｄ映像から２Ｄ映像に切り替わる場合であっても同様である。
【０１７７】
また、本実施形態においては、無線信号送信機２０が画像表示装置の外部に接続されている場合を例に挙げて説明したが、本発明はこれに限定されるものではなく、例えば、画像表示装置に内蔵されていてもよい。また、無線信号送信機２０と画像表示装置との接続方法は、有線接続であってもよいし、無線接続であってもよい。
【０１７８】
なお、本実施形態では、画像表示装置に表示される映像が３Ｄ映像でない場合に、３Ｄ画像用メガネ３０において、周期信号生成部３０３における周期信号の生成を停止する構成を例に挙げて説明したが、本発明は、これに限定されるものではない。例えば、３Ｄ画像用メガネ３０において、光シャッタ制御タイミング生成部３０６における光シャッタ制御タイミングの生成を停止する構成を採用してもよい。
【０１７９】
このとき、光シャッタ制御タイミング生成部３０６は、同期信号停止信号記憶部３１２に同期信号停止信号が格納されている場合に、光シャッタ制御タイミングの生成を停止すればよい。
【０１８０】
また、画像表示装置に２Ｄ映像が表示されている場合、３Ｄ画像用メガネ３０が備える周期信号生成部３０３は、周期データ記憶部３０２に格納された周期データ及び同期信号に基づいて、周期信号を生成し、光シャッタ制御データ生成部３０５、及び、光シャッタ制御タイミング生成部３０６に供給する。
【０１８１】
このとき、同期信号停止信号が同期信号停止信号記憶部３１２に格納されているため、光シャッタ制御タイミング生成部３０６において光シャッタ制御タイミングは生成されない。また、光シャッタ制御パターン情報が受信されないため、光シャッタ制御データ生成部３０５において光シャッタ制御データは生成されない。
【０１８２】
これによって、３Ｄ画像用メガネ３０は、同期信号停止信号が受信されている間、光シャッタ制御タイミング生成部３０６における光シャッタ制御タイミングの生成に関する消費電力を削減することができる。
【０１８３】
＜実施形態２＞
本発明の他の実施形態について、図４及び図５に基づいて説明すれば、以下の通りである。なお、説明の便宜上、実施形態１に係る構成要素と同様の機能を有する構成要素には同一の番号を付し、その説明を省略する。本実施形態では、主に、実施形態１との相違点について説明するものとする。
【０１８４】
〔画像表示システムの構成〕
まず、本実施形態に係る無線信号送信機を備える画像表示システムについて、図４を参照して説明する。図４は、本実施形態に係る画像表示システム２の構成を示すブロック図である。図４に示すように、本実施形態に係る画像表示システム２は、画像表示装置（不図示）に接続された無線信号送信機２１、及び、３Ｄ画像用メガネ３０を備えている。
【０１８５】
（無線信号送信機の構成）
図４に示すように、画像表示システム２が備える無線信号送信機２１は、３Ｄ周期検出部（第１周期検出手段）２０７、３Ｄ周期データ記憶部（第１周期データ記憶部）２０８、２Ｄ周期検出部（第２周期検出手段）２０９、２Ｄ周期データ記憶部２１０、及び、同期信号停止検出部２１１をさらに備えていること以外は、実施形態１に係る画像表示システム１が備える無線信号送信機２０と同じ構成である。
【０１８６】
受信部２０１は、画像表示装置から、３Ｄ同期信号、２Ｄ同期信号、及び、光シャッタ制御データなどを受信する。
【０１８７】
３Ｄ周期検出部２０７は、受信部２０１において受信された３Ｄ同期信号の間隔から、３Ｄ同期信号の周期を検出し、検出した周期を３Ｄ周期データ（第１周期データ）として３Ｄ周期データ記憶部２０８に格納する。また、３Ｄ周期検出部２０７は、３Ｄ同期信号の周期を検出する度に、３Ｄ周期データ記憶部２０８に格納されている周期データを最新のデータに更新する。
【０１８８】
２Ｄ周期検出部２０９は、受信部２０１において受信された２Ｄ同期信号の間隔から、２Ｄ同期信号の周期を検出し、検出した周期を２Ｄ周期データ（第２周期データ）として２Ｄ周期データ記憶部２１０に格納する。また、２Ｄ周期検出部２０９は、２Ｄ同期信号の周期を検出する度に、２Ｄ周期データ記憶部２１０に格納されている周期データを最新のデータに更新する。
【０１８９】
同期信号停止検出部２１１は、画像表示装置から受信した同期信号が２Ｄ同期信号であるか３Ｄ同期信号であるかを検出することで、画像表示装置に表示される映像が３Ｄ映像であるか否かを検出し、２Ｄ同期信号である場合に同期信号停止信号を生成する。また、同期信号停止検出部２１１は、同期信号が３Ｄ同期信号である場合には、３Ｄ同期信号を無線信号送信部２０６に供給し、２Ｄ同期信号である場合には、２Ｄ同期信号と共に、生成した同期信号停止信号を無線信号送信部２０６に供給する。
【０１９０】
無線信号送信部２０６は、同期信号停止検出部２１１から３Ｄ同期信号が供給された場合、３Ｄ周期データ記憶部２０８から３Ｄ周期データを読み出し、光シャッタ制御パターン記憶部２０５から光シャッタ制御パターン情報を読み出す。無線信号送信部２０６は、３Ｄ同期信号、３Ｄ周期データ、及び、光シャッタ制御パターン情報を３Ｄ画像用メガネ３０に送信する。
【０１９１】
また、無線信号送信部２０６は、同期信号停止検出部２１１から２Ｄ同期信号及び同期信号停止信号が供給された場合、２Ｄ周期データ記憶部２１０から２Ｄ周期データを読み出す。無線信号送信部２０６は、２Ｄ同期信号、２Ｄ周期データ、及び、同期信号停止信号を３Ｄ画像用メガネ３０に送信する。
【０１９２】
（３Ｄ画像用メガネの構成）
図４に示すように、画像表示システム２が備える３Ｄ画像用メガネ３０は、実施形態１に係る画像表示システム１が備える３Ｄ画像用メガネ３０と同様の構成である。
【０１９３】
無線信号受信部３０１は、無線信号送信機２１から、光シャッタ制御パターン情報、３Ｄ周期データ、３Ｄ同期信号、２Ｄ周期データ、２Ｄ同期信号、同期信号停止信号などの無線信号を受信する。無線信号受信部３０１は、受信した３Ｄ周期データ又は２Ｄ同期データを周期データ記憶部３０２に格納し、光シャッタ制御パターンを光シャッタ制御パターン記憶部３０４に格納し、同期信号停止信号を同期信号停止信号記憶部３１２に格納する。また、無線信号受信部３０１は、受信した３Ｄ同期信号又は２Ｄ同期信号を、周期信号生成部３０３に供給する。
【０１９４】
周期信号生成部３０３は、同期信号停止信号記憶部３１２に同期信号停止信号が格納されていない場合、周期データ記憶部３０２に格納されている２Ｄ周期データ又は３Ｄ周期データを読み出し、無線信号受信部３０１から供給される２Ｄ同期信号又は３Ｄ同期信号を基準として周期信号を生成する。周期信号生成部３０３は、生成した周期信号を、光シャッタ制御データ生成部３０５、及び、光シャッタ制御タイミング生成部３０６に供給する。なお、同期信号停止信号が受信されている場合、すなわち、画像表示装置に３Ｄ映像が表示されていない場合、周期信号の生成を停止する。
【０１９５】
光シャッタ制御データ生成部３０５は、光シャッタ制御パターン記憶部３０４に格納されている光シャッタ制御パターンを読み出し、周期信号生成部３０３から供給される周期信号を基準として、光シャッタ制御データを生成する。光シャッタ制御データ生成部３０５は、生成した光シャッタ制御データを光シャッタ制御部３０７に供給する。なお、同期信号停止信号が受信されている場合、すなわち、画像表示装置に３Ｄ映像が表示されていない場合、光シャッタ制御パターン記憶部３０４に光シャッタ制御パターン情報は格納されず、光シャッタ制御データは生成されない。
【０１９６】
光シャッタ制御タイミング生成部３０６は、周期信号生成部３０３から供給される周期信号を基準として、光シャッタ制御タイミングを生成し、光シャッタ制御部３０７に供給する。また、光シャッタ制御タイミング生成部３０６は、同期信号停止信号記憶部３１２に同期信号停止信号が格納されている場合には、周期信号生成部３０３から周期信号が供給されないため、光シャッタ制御タイミングの生成を停止する。
【０１９７】
〔画像表示システムの動作〕
次に、本実施形態に係る画像表示システム２の動作について、図５を参照して説明する。図５は、無線信号送信機２１の動作タイミングを示すタイミングチャートである。
【０１９８】
（無線信号送信機の動作）
まず、図５を参照して、無線信号送信機２１の動作について説明する。図５（ａ）は画像表示装置に表示される映像が２Ｄ映像であるか、３Ｄ映像であるかを示している。（ｂ）は画像表示装置に表示される映像が２Ｄ映像である場合には、２Ｄ映像を構成するフレーム、画像表示装置に表示される映像が３Ｄ映像である場合には、３Ｄ映像を構成する右目用画像及び左目用画像の切り替わりを示している。（ｃ）は画像表示装置から送信される３Ｄ同期信号、及び、光シャッタ制御データを示し、（ｄ）は画像表示装置から送信される２Ｄ同期信号を示している。（ｅ）は同期信号停止検出部２１１において生成される同期信号停止信号を示している。（ｆ）は３Ｄ周期検出部２０７において生成される３Ｄ周期データを示し、（ｇ）は２Ｄ周期検出部２０９において生成される２Ｄ周期データを示し、（ｈ）は光シャッタ制御パターン解析部２０４において生成される光シャッタ制御パターン情報を示している。また、（ｉ）は無線信号送信部２０６から無線信号が送信されるタイミングを示している。
【０１９９】
なお、図５（ｅ）に示すように、同期信号停止信号は、ハイレベルのとき、画像表示装置に表示される映像が３Ｄ映像でないことを示している。
【０２００】
（２Ｄ映像の場合）
図５（ａ）及び（ｂ）に示すように画像表示装置に２Ｄ映像が表示されているときには、（ｄ）に示すように、受信部２０１は、２Ｄ映像のフレームが切り替わる度に２Ｄ同期信号を受信する。受信部２０１は、受信した２Ｄ同期信号を、２Ｄ周期検出部２０９、及び、同期信号停止検出部２１１に供給する。
【０２０１】
２Ｄ周期検出部２０９は、図５（ｇ）に示すように、２Ｄ同期信号が供給される度に周期データＡ’を生成し、最新の周期データＡ’を２Ｄ周期データ記憶部２１０に格納する。
【０２０２】
同期信号停止検出部２１１は、２Ｄ同期信号が供給されると、図５（ｅ）に示すように、ハイレベルの値を有する同期信号停止信号を生成する。同期信号停止検出部２１１は、生成した同期信号停止信号、及び、２Ｄ同期信号を無線信号送信部２０６に供給する。
【０２０３】
無線信号送信部２０６は、図５（ｉ）に示す無線信号を送信するタイミングにおいて、同期信号停止検出部２１１から供給された同期信号停止信号、２Ｄ同期信号、及び、２Ｄ周期データ記憶部２１０から読み出した周期データＡ’を３Ｄ画像用メガネ３０に送信する。
【０２０４】
（３Ｄ映像の場合）
また、図５（ａ）及び（ｂ）に示すように画像表示装置に３Ｄ映像が表示されているときには、（ｃ）に示すように、受信部２０１は、３Ｄ映像の右目用画像と左目用画像とが切り替わる度に３Ｄ同期信号を受信すると共に、光シャッタ制御データを受信する。受信部２０１は、受信した３Ｄ同期信号を３Ｄ周期検出部２０７、及び、同期信号停止検出部２１１に供給し、光シャッタ制御データを光シャッタ制御パターン解析部２０４に供給する。
【０２０５】
３Ｄ周期検出部２０７は、図５（ｆ）に示すように、３Ｄ同期信号が供給される度に周期データＡを生成し、最新の周期データＡを３Ｄ周期データ記憶部２０８に格納する。また、光シャッタ制御パターン解析部２０４は、図５（ｈ）に示すように、光シャッタ制御データが供給される度に光シャッタ制御パターン情報（図５（ｈ）において、パターンＢ）を生成し、最新の光シャッタ制御パターン情報を光シャッタ制御パターン記憶部２０５に格納する。
【０２０６】
無線信号送信部２０６は、図５（ｉ）に示す無線信号を送信するタイミングにおいて、同期信号停止検出部２１１から供給された３Ｄ同期信号、３Ｄ周期データ記憶部２０８から読み出した周期データＡ、及び、光シャッタ制御パターン記憶部２０５から読み出した光シャッタ制御パターン情報を３Ｄ画像用メガネ３０に送信する。
【０２０７】
（３Ｄ画像用メガネの動作）
本実施形態に係る画像表示システム２が備える３Ｄ画像用メガネ３０の動作は、実施形態１に係る画像表示システム１が備える３Ｄ画像用メガネ３０の動作と同様である。
【０２０８】
以上のように、画像表示装置に表示される映像が３Ｄ映像である場合、本実施形態に係る無線信号送信機２１は、３Ｄ同期信号を３Ｄ画像用メガネ３０に送信する。３Ｄ画像用メガネ３０における間欠制御タイマー部３０９は、同期信号が受信されると、周期間欠動作時間レジスタ３１０に格納されている停止時間データを読み出し、タイマーの動作を開始する。周期間欠制御部３１１は、タイマーが動作している間、無線信号受信部３０１をＯＦＦにし、タイマーの動作が完了した後に、無線信号受信部３０１をＯＮにする。このようにして、間欠制御タイマー部３０９及び周期間欠制御部３１１は、無線信号受信部３０１が間欠動作するよう制御する。
【０２０９】
また、３Ｄ画像用メガネ３０における光シャッタ制御データ生成部３０５は、周期信号生成部３０３において３Ｄ同期信号を基準として生成された周期信号を基準とし、受信した光シャッタ制御パターン情報に従って光シャッタ制御データを生成する。また、光シャッタ制御タイミング生成部３０６は、周期信号を基準とし、光シャッタ制御信号タイミングを生成する。光シャッタ制御部３０７は、この２つの信号から光シャッタ制御信号を発生して、左右の光シャッタ３０８を駆動する。なお、周期信号生成部３０３は、無線信号受信部３０１がＯＦＦである場合にも、周期信号の生成を続けるため、この周期信号を基準として光シャッタ制御データと光シャッタ制御信号タイミングとを生成し、光シャッタ制御信号の生成を継続することができる。
【０２１０】
これにより、画像表示装置に右目用画像が表示されている間には右光シャッタのみが開き、左目用画像が表示されている間には左光シャッタのみが開くという動作を行うことになる。
【０２１１】
さらに、本実施形態に係る無線信号送信機２１は、表示装置に表示される映像が２Ｄ映像である場合にも、画像表示装置から受信した２Ｄ同期信号に基づいて同期信号停止信号を生成し、３Ｄ画像用メガネ３０に送信する。３Ｄ画像用メガネ３０は、同期信号停止信号を受信することにより、画像表示装置に表示される映像が３Ｄ映像でない場合にも、３Ｄ映像の同期信号を受信する場合と同様に、無線信号受信部３０１における無線信号の受信動作を停止することが可能となる。
【０２１２】
これにより、周期的に無線信号受信部３０１を動作させて無線信号を受信し、それ以外の間は無線信号受信部３０１を停止し、無線信号受信部３０１における消費電力を削減することができる。
【０２１３】
また、３Ｄ画像用メガネ３０は、周期的に無線信号の受信を行うため、無線信号送信機２１から送信される無線信号の送信期間、及び、何れの無線通信チャンネルを使用しているかを把握し続けることができる。このため、画像表示装置で表示される映像が２Ｄ映像から３Ｄ映像に切り替わった場合にも、素早く無線信号の受信を行い、光シャッタ３０８の制御を開始することができる。
【０２１４】
＜実施形態３＞
本発明の他の実施形態について、図６から図８に基づいて説明すれば、以下の通りである。なお、説明の便宜上、実施形態１に係る構成要素と同様の機能を有する構成要素には同一の番号を付し、その説明を省略する。本実施形態では、主に、実施形態１との相違点について説明するものとする。
【０２１５】
〔画像表示システムの構成〕
まず、本実施形態に係る無線信号送信機を備える画像表示システムについて、図６を参照して説明する。図６は、本実施形態に係る画像表示システム３の構成を示すブロック図である。図６に示すように、本実施形態に係る画像表示システム３は、画像表示装置（不図示）に接続された無線信号送信機２２、及び、３Ｄ画像用メガネ３０を備えている。
【０２１６】
なお、本実施形態では、画像表示装置に３Ｄ映像が表示される場合に同期信号（３Ｄ同期信号）を受信し、３Ｄ映像が表示されない場合に同期信号を受信しない場合を例に挙げて説明する。
【０２１７】
なお、画像表示装置に表示される画像が３Ｄ映像でない場合としては、画像表示装置に表示されている映像が２Ｄ映像である場合、及び、画像表示装置に何も表示されていない場合が挙げられる。また、画像表示装置に何も表示されていない場合としては、例えば、画像表示装置に供給される２Ｄ映像又は３Ｄ映像の供給（例えば、画像表示装置がテレビである場合、テレビ放送）が終了している場合、及び、上記画像表示装置に電源が供給されていない場合などを挙げることができる。
【０２１８】
（無線信号送信機の構成）
図６に示すように、画像表示システム３が備える無線信号送信機２２は、同期信号停止検出部２１１、周期信号生成部（周期信号生成手段）２１２、及び、代替同期信号生成部（代替同期信号生成手段）２１３をさらに備えていること以外は、実施形態１に係る画像表示システム１が備える無線信号送信機２０と同じ構成である。
【０２１９】
周期データ記憶部２０３は、周期検出部２０２によって格納される周期データとは別に、予め定められた所定の周期を示すデフォルト周期データが格納されている。
【０２２０】
同期信号停止検出部２１１は、画像表示装置から同期信号が受信されるか否かを検出し、同期信号が受信されない（すなわち、画像表示装置に表示される画像が３Ｄ映像でない）場合に同期信号停止信号を生成する。また、同期信号停止検出部２１１は、同期信号が受信される場合には、同期信号を無線信号送信部２０６に供給し、同期信号が受信されない場合には、生成した同期信号停止信号を無線信号送信部２０６に供給する。
【０２２１】
周期信号生成部２１２は、周期データ記憶部２０３から読み出した周期データと同一の周期の周期信号を生成する。また、周期信号生成部２１２は、以前に同期信号が受信されていない場合、周期データ記憶部２０３に周期データが記憶されていないため、デフォルト周期データを読み出し、デフォルト周期データに基づいて周期信号を生成する。
【０２２２】
代替同期信号生成部２１３は、同期信号停止検出部２１１において同期信号停止信号が生成された場合、すなわち、画像表示装置から３Ｄ同期信号が受信されない場合、周期信号生成部２１２において生成された周期信号を基準として、代替同期信号を生成する。
【０２２３】
無線信号送信部２０６は、同期信号停止検出部２１１から３Ｄ同期信号が供給された場合、周期データ記憶部２０３から周期データを読み出し、光シャッタ制御パターン記憶部２０５から光シャッタ制御パターン情報を読み出す。無線信号送信部２０６は、３Ｄ同期信号、周期データ、及び、光シャッタ制御パターン情報を３Ｄ画像用メガネ３０に送信する。
【０２２４】
また、無線信号送信部２０６は、同期信号停止検出部２１１から同期信号停止信号が供給された場合、周期データ記憶部から周期データを読み出し、代替同期信号生成部において生成された代替同期信号を取得する。無線信号送信部２０６は、周期データ、同期信号停止信号、及び、代替同期信号を３Ｄ画像用メガネ３０に送信する。
【０２２５】
（３Ｄ画像用メガネの構成）
図６に示すように、画像表示システム３が備える３Ｄ画像用メガネ３０は、実施形態１に係る画像表示システム１と同じ構成である。
【０２２６】
無線信号受信部３０１は、無線信号送信機２２から、光シャッタ制御パターン情報、周期データ、同期信号、代替同期信号、同期信号停止信号などの無線信号を受信する。無線信号受信部３０１は、受信した周期データを周期データ記憶部３０２に格納し、光シャッタ制御パターンを光シャッタ制御パターン記憶部３０４に格納し、同期信号停止信号を同期信号停止信号記憶部３１２に格納する。また、無線信号受信部３０１は、受信した同期信号又は代替同期信号を、周期信号生成部３０３に供給する。
【０２２７】
周期信号生成部３０３は、同期信号停止信号記憶部に同期信号停止信号が格納されていない場合、周期データ記憶部３０２に格納されている周期データを読み出し、無線信号受信部３０１から供給される同期信号又は代替同期信号を基準として周期信号を生成する。周期信号生成部３０３は、生成した周期信号を、光シャッタ制御データ生成部３０５、及び、光シャッタ制御タイミング生成部３０６に供給する。なお、同期信号停止信号が受信されている場合、すなわち、画像表示装置に３Ｄ映像が表示されていない場合、周期信号の生成を停止する。
【０２２８】
〔画像表示システムの動作〕
次に、本実施形態に係る画像表示システム３の動作について、図７及び図８を参照して説明する。図７は、本実施形態に係る無線信号送信機２２の動作タイミングを示すタイミングチャートである。図８は、本実施形態に係る３Ｄ画像用メガネ３０の動作タイミングを示すタイミングチャートである。
【０２２９】
（無線信号送信機の動作）
まず、図７を参照して、無線信号送信機２２の動作について説明する。図７（ａ）は画像表示装置に表示される映像が２Ｄ映像であるか、３Ｄ映像であるかを示している。（ｂ）は画像表示装置に表示される映像が２Ｄ映像である場合には、２Ｄ映像を構成するフレーム、画像表示装置に表示される映像が３Ｄ映像である場合には、３Ｄ映像を構成する右目用画像及び左目用画像の切り替わりを示している。（ｃ）は画像表示装置から送信される同期信号、及び、右目用の光シャッタ制御データを示し（ｄ）は左目用の光シャッタ制御データを示し、（ｅ）は同期信号停止検出部２１１において生成される同期信号停止信号を示している。（ｆ）は周期検出部２０２において生成される周期データを示し、（ｇ）は光シャッタ制御パターン解析部２０４において生成される光シャッタ制御パターン情報を示している。また、（ｈ）は周期信号生成部２１２において生成される周期信号を示し、（ｉ）は代替同期信号生成部２１３において生成される代替同期信号を示し、（ｊ）は無線信号送信部２０６から無線信号が送信されるタイミングを示している。
【０２３０】
なお、図７（ｅ）に示すように、同期信号停止信号は、ハイレベルのとき、画像表示装置に表示される映像が３Ｄ映像でないことを示している。
【０２３１】
また、図７（ｃ）に示すように、本実施形態においては、右目用の光シャッタ制御データが同期信号を兼ねている場合を例に挙げて図示しているが、左目用の光シャッタ制御データが同期信号を兼ねていてもよい。
【０２３２】
（２Ｄ映像の場合）
図７（ａ）及び（ｂ）に示すように画像表示装置に２Ｄ映像が表示されているときには、（ｃ）に示すように同期信号は受信されない。
【０２３３】
同期信号停止検出部２１１は、同期信号が供給されない場合、図７（ｅ）に示すように、ハイレベルの値を有する同期信号停止信号を生成する。同期信号停止検出部２１１は、生成した同期信号停止信号を、無線信号送信部２０６、及び、代替同期信号生成部２１３に供給する。
【０２３４】
代替同期信号生成部２１３は、同期信号停止信号が供給されると、周期データ記憶部２０３に格納されている、図７（ｆ）に示す周期データＣ’に基づいて周期信号生成部において生成される周期信号から、（ｉ）に示される代替同期信号を生成する。代替同期信号生成部２１３は、生成した代替同期信号を無線信号送信部に供給する。
【０２３５】
無線信号送信部２０６は、図７（ｊ）に示す無線信号を送信するタイミングにおいて、同期信号停止検出部２１１から供給された同期信号停止信号、代替同期信号、及び、周期データ記憶部２０３から読み出した周期データＣ’を３Ｄ画像用メガネ３０に送信する。
【０２３６】
（３Ｄ映像の場合）
また、図７（ａ）及び（ｂ）に示すように画像表示装置に３Ｄ映像が表示されているときには、（ｃ）及び（ｄ）に示すように、受信部２０１は、３Ｄ映像の右目用画像と左目用画像とが切り替わる度に同期信号を受信すると共に、光シャッタ制御データを受信する。受信部２０１は、受信した同期信号を周期検出部２０２、及び、同期信号停止検出部２１１に供給し、光シャッタ制御データを光シャッタ制御パターン解析部２０４に供給する。
【０２３７】
周期検出部２０２は、図７（ｆ）に示すように、同期信号が供給される度に周期データＣを生成し、最新の周期データＣを周期データ記憶部２０３に格納する。また、光シャッタ制御パターン解析部２０４は、図７（ｇ）に示すように、光シャッタ制御データが供給される度に光シャッタ制御パターン情報（図７（ｇ）において、パターンＤ）を生成し、最新の光シャッタ制御パターン情報を光シャッタ制御パターン記憶部２０５に格納する。
【０２３８】
無線信号送信部２０６は、図７（ｊ）に示す無線信号を送信するタイミングにおいて、同期信号停止検出部２１１から供給された同期信号、周期データ記憶部２０３から読み出した周期データＣ、及び、光シャッタ制御パターン記憶部２０５から読み出した光シャッタ制御パターン情報を３Ｄ画像用メガネ３０に送信する。
【０２３９】
（３Ｄ画像用メガネの動作）
次に、図８を参照して、３Ｄ画像用メガネ３０の動作について説明する。図８（ａ）は、無線信号送信機２０から無線信号が送信されるタイミングを示している。（ｂ）は、周期間欠制御部３１１が無線信号受信部３０１に供給する受信部ＯＮ信号及び受信部ＯＦＦ信号を示し、（ｃ）は、無線信号受信部３０１にいて無線信号を受信するタイミングを示し、（ｄ）は、無線信号受信部３０１において受信した周期データを示している。（ｅ）は、間欠制御タイマーの動作状態を示し、（ｆ）は、周期信号生成部３０３において生成される周期信号を示し、（ｇ）は、光シャッタ制御パターン記憶部３０４に格納されている光シャッタ制御パターン（光シャッタ制御パターン信号）を示し、（ｈ）は、無線信号受信部３０１において受信した同期信号停止信号を示している。また、（ｉ）は、光シャッタ制御データ生成部３０５において生成された光シャッタ制御データを示し、（ｊ）及び（ｋ）は、光シャッタ制御部３０７において生成された右光シャッタ制御信号、及び、左光シャッタ制御信号を示している。
【０２４０】
本実施形態に係る画像表示システム３が備える３Ｄ画像用メガネ３０の動作は、図８（ｄ）及び（ｅ）に示すように、受信する周期データが周期データＣ’及び周期データＣであり、光シャッタ制御パターン記憶部３０４に格納されている光シャッタ制御パターンがパターンＤであること以外は、図３に示す実施形態１に係る画像表示システム１が備える３Ｄ画像用メガネ３０の動作と同じである。
【０２４１】
以上のように、画像表示装置に表示される映像が３Ｄ映像である場合、本実施形態に係る無線信号送信機２２は、同期信号を３Ｄ画像用メガネ３０に送信する。また、３Ｄ画像用メガネ３０における間欠制御タイマー部３０９は、同期信号が受信されると、周期間欠動作時間レジスタ３１０に格納されている停止時間データを読み出し、タイマーの動作を開始する。周期間欠制御部３１１は、タイマーが動作している間、無線信号受信部３０１をＯＦＦにし、タイマーの動作が完了した後に、無線信号受信部３０１をＯＮにする。このようにして、間欠制御タイマー部３０９及び周期間欠制御部３１１は、無線信号受信部３０１が間欠動作するよう制御する。
【０２４２】
また、３Ｄ画像用メガネ３０における光シャッタ制御データ生成部３０５は、周期信号生成部３０３において３Ｄ同期信号を基準として生成された周期信号を基準とし、受信した光シャッタ制御パターン情報に従って光シャッタ制御データを生成する。また、光シャッタ制御タイミング生成部３０６は、周期信号を基準とし、光シャッタ制御信号タイミングを生成する。光シャッタ制御部３０７は、この２つの信号から光シャッタ制御信号を発生して、左右の光シャッタ３０８を駆動する。なお、周期信号生成部３０３は、無線信号受信部３０１がＯＦＦである場合にも、周期信号の生成を続けるため、この周期信号を基準として光シャッタ制御データと光シャッタ制御信号タイミングとを生成し、光シャッタ制御信号の生成を継続することができる。
【０２４３】
これにより、画像表示装置に右目用画像が表示されている間には右光シャッタのみが開き、左目用画像が表示されている間には左光シャッタのみが開くという動作を行うことになる。
【０２４４】
さらに、本実施形態に係る無線信号送信機２２は、表示装置に表示される映像が２Ｄ映像である場合にも、同期信号停止信号、及び、代替同期信号を生成し、３Ｄ画像用メガネ３０に送信する。３Ｄ画像用メガネ３０は、同期信号停止信号及び代替同期信号を受信することにより、画像表示装置に表示される映像が３Ｄ映像でない場合にも、３Ｄ映像の同期信号を受信する場合と同様に、無線信号受信部３０１における無線信号の受信動作を停止することが可能となる。
【０２４５】
これにより、周期的に無線信号受信部３０１を動作させて無線信号を受信し、それ以外の間は無線信号受信部３０１を停止し、無線信号受信部３０１における消費電力を削減することができる。
【０２４６】
また、３Ｄ画像用メガネ３０は、周期的に無線信号の受信を行うため、無線信号送信機２２から送信される無線信号の送信期間、及び、何れの無線通信チャンネルを使用しているかを把握し続けることができる。このため、画像表示装置で表示される映像が２Ｄ映像から３Ｄ映像に切り替わった場合にも、素早く無線信号の受信を行い、光シャッタ３０８の制御を開始することができる。
【０２４７】
〔付加事項〕
なお、本発明の無線信号送信機、及び、３Ｄ画像用メガネは、以下の構成を採用してもよい。
【０２４８】
（構成１）
画像表示装置に表示される右目用画像と左目用画像との切り替え用の同期信号、及び該右目用画像と左目用画像との表示のための光シャッタ制御信号を画像表示装置より受けて、上記同期信号及び光シャッタ制御信号をそれぞれ３Ｄ画像用メガネに送信する無線信号送信機において、上記同期信号の間隔から該同期信号の周期を検出する周期検出部と、検出した周期を周期データとして記憶する周期データ記憶部とを備え、上記周期検出部により同期信号の周期が検出される度に、上記周期データ記憶部内の周期データが更新されるようになっており、上記右目用画像と左目用画像との切り替え用の同期信号が停止した場合は、周期的に同期信号停止情報を送信する無線信号送信部を備えていることを特徴とする無線信号送信機。
【０２４９】
（構成２）
画像表示装置に表示されている映像が３Ｄ映像の場合には右目用画像と左目用画像との切り替え用の同期信号を受け２Ｄ映像の場合には２Ｄ画像のフレームの切り替わりタイミングに同期した同期信号を受け、画像表示装置に表示されている映像が２Ｄ映像か３Ｄ映像か種別を表す映像種別信号を受ける無線信号送信機において、２Ｄ映像の映像種別信号を受けた場合は上記同期信号と共に同期信号停止情報を送信する無線信号送信部を備えていることを特徴とする構成１に記載の無線信号送信機。
【０２５０】
（構成３）
画像表示装置に表示されている映像が２Ｄ映像の場合に２Ｄ映像に同期した２Ｄ同期信号を受ける無線信号送信機において、３Ｄ映像であることを示す上記同期信号が停止していることを検出して同期信号停止信号を発生する同期信号停止検出部と、受けた上記２Ｄ同期信号の間隔から該２Ｄ同期信号の周期を検出する周期検出部２と、検出した周期を２Ｄ周期データとして記憶する周期データ記憶部２とを備え、上記周期検出部２により同期信号の周期が検出される度に、上記周期データ記憶部２内の周期データが更新されるようになっており、上記同期信号停止検出部より同期信号停止信号を受けて、上記２Ｄ同期信号を同期信号として送信し上記２Ｄ周期データを周期データとして送信すると共に同期信号停止情報を送信する無線信号送信部を備えていることを特徴とする構成１に記載の無線信号送信機。
【０２５１】
（構成４）
上記周期データ記憶部に記憶された周期データに基づいて周期信号を繰り返し発生する周期信号発生部と、上記同期信号が停止していることを検出して同期信号停止信号を発生する同期信号停止検出部と、上記同期信号停止検出部より同期信号停止信号を受けて上記周期信号発生部にて発生された周期信号を基準として代替同期信号を発生する代替同期信号発生部とを備えており、上記同期信号停止検出部より同期信号停止信号を受けて、上記代替同期信号発生部にて発生された代替同期信号を同期信号として送信すると共に同期信号停止情報を送信する無線信号送信部を備えていることを特徴とする構成１に記載の無線信号送信機。
【０２５２】
（構成５）
上記周期データ記憶部に適当な値がデフォルト値として格納されており、上記周期検出部により同期信号の周期が検出されていない場合には、上記デフォルト値に基づいて周期信号が繰り返し発生されることを特徴とする構成６に記載の無線信号送信機。
【０２５３】
（構成６）
繰り返される上記光シャッタ制御データを解析してパターン化する光シャッタ制御パターン解析部と、パターン化による光シャッタ制御パターン情報を記憶する光シャッタ制御パターン記憶部とをさらに備えていることを特徴とする構成１から５の何れか１つの構成に記載の無線信号送信機。
【０２５４】
（構成７）
上記周期データ記憶部より上記周期データを読み出し、かつ上記光シャッタ制御パターン記憶部より上記光シャッタ制御パターン情報を読み出して、該周期データ及び光シャッタ制御パターン情報を上記同期信号と共に３Ｄ画像用メガネに送信する無線信号送信部を備えていることを特徴とする構成６に記載の無線信号送信機。
【０２５５】
（構成８）
上述の構成を備える無線信号送信機より同期信号と周期データと同期信号停止信号を無線受信する無線信号受信部と、受信した同期信号を基準として、受信した周期データに従い周期信号を繰り返し発生する周期信号発生部と、一定時間無線受信を休止する制御を行う周期間欠制御部と、受信した同期信号停止信号を記憶する同期信号停止情報記憶部とを備え、上記無線受信を休止する期間でも周期信号の発生を継続するようになっていることを特徴とする３Ｄ画像用メガネ。
【０２５６】
（構成９）
上述の構成を備える無線信号送信機より光シャッタ制御パターン情報をさらに無線受信する無線信号受信部と、上記周期信号発生部により発生された周期信号を基準として、受信した光シャッタ制御パターン情報に従い光シャッタ制御データを発生する光シャッタ制御データ発生部と、光シャッタの開閉を制御する制御信号タイミングを生成する光シャッタ制御信号タイミング生成部と、上記光シャッタ制御データ発生部からの出力と光シャッタ制御信号タイミング生成部からの出力とを受けて左右光シャッタの光シャッタ制御信号を発生する光シャッタ制御部とをさらに備えていることを特徴とする構成８に記載の３Ｄ画像用メガネ。
【０２５７】
（構成１０）
上記無線信号受信部の受信制御を行うために、間欠制御タイマー部と周期間欠動作時間レジスタ部とをさらに備え、上記周期間欠動作時間レジスタ部に格納されている時間を上記間欠制御タイマー部に伝え、上記間欠制御タイマー部の間欠制御タイマーが動作中は上記周期間欠制御部を停止するようになっていることを特徴とする構成８又は９に記載の３Ｄ画像用メガネ。
【０２５８】
（構成１１）
上記同期信号停止情報記憶部より同期信号停止情報を読み出して同期信号停止信号が記憶されている場合には、周期信号の発生を停止することを特徴とする構成８から１０の何れか１つの構成に記載の３Ｄ画像用メガネ。
【０２５９】
（構成１２）
画像表示装置と、構成１から７の何れか１つの構成に記載の無線信号送信機と、構成８から１１の何れか１つの構成に３Ｄ画像用メガネとを備えていることを特徴とする画像表示システム。
【０２６０】
第１の手段では、無線信号送信機は画像表示装置から３Ｄ映像及び２Ｄ映像に同期した同期信号と２Ｄ映像か３Ｄ映像か種別を表す映像種別信号を受け取る様になっており、映像種別信号が２Ｄ映像を表している場合には、同期信号と共に３Ｄ映像でなくなったことを表す同期信号停止情報を送信する。
【０２６１】
第２の手段では、無線信号送信機は画像表示装置から、３Ｄ映像が表示されている時には３Ｄ映像に同期した同期信号を受け、２Ｄ映像が表示されている時には２Ｄ映像に同期した２Ｄ同期信号を受け取る様になっており、同期信号が停止していることを検出した場合には、２Ｄ同期信号を同期信号として送信すると共に同期信号が停止していることを表す同期信号停止情報を送信する。
【０２６２】
第３の手段では、無線信号送信機は同期タイミング信号が停止していることを検出した場合には、予め適当に設定したデフォルトの周期あるいは直前に送られて来ていた同期タイミング信号の周期と同じ周期のダミー同期信号を無線信号送信機内部で発生し、そのダミー同期信号を同期信号として送信すると共に同期信号が停止していることを表す同期信号停止情報を送信する。
【０２６３】
〔プログラム、記録媒体〕
無線信号送信機２０及び３Ｄ画像用メガネ３０の各ブロックは、集積回路（ＩＣチップ）上に形成された論理回路によってハードウェア的に実現してもよいし、ＣＰＵ（Central Processing Unit）を用いてソフトウェア的に実現してもよい。
【０２６４】
後者の場合、無線信号送信機２０及び３Ｄ画像用メガネ３０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである無線信号送信機２０及び３Ｄ画像用メガネ３０の制御プログラムのプログラムコード（実行形式プログラム、中間コードプログラム、ソースプログラム）をコンピュータで読み取り可能に記録した記録媒体を、無線信号送信機２０及び３Ｄ画像用メガネ３０に供給し、そのコンピュータ（またはＣＰＵやＭＰＵ）が記録媒体に記録されているプログラムコードを読み出し実行することによっても、達成可能である。
【０２６５】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０２６６】
また、上記プログラムコードは、通信ネットワークを介して無線信号送信機２０及び３Ｄ画像用メガネ３０に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０２６７】
本発明は上述した実施形態および実施例に限定されるものではなく、請求項に示した範囲で種々の変更が可能であり、上記実施形態にそれぞれ開示された技術的手段を適宜組み合わせて得られる他の実施形態についても本発明の技術的範囲に含まれる。
【産業上の利用可能性】
【０２６８】
本発明は、例えばテレビジョン受像機及びパーソナルコンピュータなど画像表示装置の外部に接続される、又は、内蔵される無線信号送信機、及び、３Ｄ映像を見ることのできる３Ｄ画像用メガネに適用することができる。
【符号の説明】
【０２６９】
１、２、３        画像表示システム
２０、２１、２２  無線信号送信機
２０１            受信部
２０２            周期検出部（第１周期検出手段、第２周期検出手段）
２０３            周期データ記憶部（第１周期データ記憶部）
２０４            光シャッタ制御パターン解析部（シャッタ制御パターン解析手段）
２０５            光シャッタ制御パターン記憶部
２０６            無線信号送信部
２０７            ３Ｄ周期検出部（第１周期検出手段）
２０８            ３Ｄ周期データ記憶部（第１周期データ記憶部）
２０９            ２Ｄ周期検出部（第２周期検出手段）
２１０            ２Ｄ周期データ記憶部
２１１            同期信号停止検出部
２１２            周期信号生成部（周期信号生成手段）
２１３            代替同期信号生成部（代替同期信号生成手段）
３０              ３Ｄ画像用メガネ
３０１            無線信号受信部
３０２            周期データ記憶部
３０３            周期信号生成部（周期信号生成手段）
３０４            光シャッタ制御パターン記憶部
３０５            光シャッタ制御データ生成部（シャッタ制御データ生成手段）
３０６        光シャッタ制御タイミング生成部（シャッタ制御タイミング生成手段）
３０７            光シャッタ制御部（シャッタ制御手段）
３０８            光シャッタ
３０９            間欠制御タイマー部（タイマー制御手段）
３１０            周期間欠動作時間レジスタ（レジスタ）
３１１            周期間欠制御部（受信間欠制御手段）
【図１】
0005290356.tif 000002
【図２】
0005290356.tif 000003
【図３】
0005290356.tif 000004
【図４】
0005290356.tif 000005
【図５】
0005290356.tif 000006
【図６】
0005290356.tif 000007
【図７】
0005290356.tif 000008
【図８】
0005290356.tif 000009
【図９】
0005290356.tif 000010
【図１０】
0005290356.tif 000011
【図１１】
0005290356.tif 000012
【図１２】
0005290356.tif 000013
【図１３】
0005290356.tif 000014
【図１４】
0005290356.tif 000015
【図１５】
0005290356.tif 000016
【図１６】
0005290356.tif 000017
【図１７】
0005290356.tif 000018
【図１８】
0005290356.tif 000019